(57)【特許請求の範囲】
【請求項１】
ネットワークノード内で使用するための、チャネル状態情報参照信号（ＣＳＩ−ＲＳ）を送信する方法であって、
ワイヤレスデバイスがＣＳＩ−ＲＳを測定するために使用すべき物理リソースブロック（ＰＲＢ）のサブセットの表示を、前記ワイヤレスデバイスに送信すること（１７１４）であって、各ＣＳＩ−ＲＳがアンテナポートに関連付けられ、ＰＲＢの前記サブセットがシステム帯域幅のサブセットを含む、ＰＲＢのサブセットの表示を前記ワイヤレスデバイスに送信すること（１７１４）と、
ＰＲＢの前記表示されたサブセット上でＣＳＩ−ＲＳを送信すること（１７１６）と
を含み、前記ワイヤレスデバイスがＣＳＩ−ＲＳを測定するために使用すべきＰＲＢの前記サブセットの前記表示が、密度値およびコームオフセットを含む、方法。
【請求項２】
ワイヤレスデバイス内で使用するための、チャネル状態情報参照信号（ＣＳＩ−ＲＳ）を受信する方法であって、
前記ワイヤレスデバイスがＣＳＩ−ＲＳを測定するために使用すべき物理リソースブロック（ＰＲＢ）のサブセットの表示を受信すること（１８１２）であって、前記ＣＳＩ−ＲＳの各々がアンテナポートに関連付けられ、ＰＲＢの前記サブセットがシステム帯域幅のサブセットを含む、ＰＲＢのサブセットの表示を受信すること（１８１２）と、
ＰＲＢの前記表示されたサブセット上でＣＳＩ−ＲＳを受信すること（１８１４）と
を含み、前記ワイヤレスデバイスがＣＳＩ−ＲＳを測定するために使用すべきＰＲＢの前記サブセットの前記表示が、密度値およびコームオフセットを含む、方法。
【請求項３】
チャネル状態情報参照信号（ＣＳＩ−ＲＳ）（１３５）を送信するように動作可能なネットワークノード（１２０）であって、処理回路（２０００）を備え、前記処理回路が、
ワイヤレスデバイスがＣＳＩ−ＲＳを測定するために使用すべき物理リソースブロック（ＰＲＢ）のサブセットの表示を、前記ワイヤレスデバイスに送信することであって、各ＣＳＩ−ＲＳがアンテナポートに関連付けられ、ＰＲＢの前記サブセットがシステム帯域幅のサブセットを含む、ＰＲＢのサブセットの表示をワイヤレスデバイスに送信することと、
ＰＲＢの前記表示されたサブセット上でＣＳＩ−ＲＳを送信することと
を行うように動作可能であり、前記ワイヤレスデバイスがＣＳＩ−ＲＳを測定するために使用すべきＰＲＢの前記サブセットの前記表示が、密度値およびコームオフセットを含む、ネットワークノード。
【請求項４】
前記処理回路が、前記ワイヤレスデバイスがＣＳＩ−ＲＳを測定するために使用すべきＰＲＢの前記サブセットの前記表示を取得するようにさらに動作可能である、請求項３に記載のネットワークノード。
【請求項５】
前記ネットワークノードが、総数のアンテナポート上でＣＳＩ−ＲＳを送信し、ＰＲＢの前記サブセットの各ＰＲＢが、前記総数のアンテナポートに対するＣＳＩ−ＲＳマッピングを含む、請求項３に記載のネットワークノード。
【請求項６】
前記ワイヤレスデバイスがＣＳＩ−ＲＳを測定するために使用すべきＰＲＢの前記サブセットが、偶数のＰＲＢを含む、請求項３から５のいずれか一項に記載のネットワークノード。
【請求項７】
前記ワイヤレスデバイスがＣＳＩ−ＲＳを測定するために使用すべきＰＲＢの前記サブセットが、奇数のＰＲＢを含む、請求項３から５のいずれか一項に記載のネットワークノード。
【請求項８】
前記密度値が１／２の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
0006987788.tif 000048
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
0006987788.tif 000049
を含む
請求項３から５のいずれか一項に記載のネットワークノード。
【請求項９】
前記密度値が１／３の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
0006987788.tif 000050
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
0006987788.tif 000051
を含み、
第３のコームオフセットが、前記ワイヤレスデバイスがＣＳＩ−ＲＳを測定するためにセットｍ３内の前記ＰＲＢを使用すべきであることを表示し、前記セットｍ３が、
0006987788.tif 000052
を含む
請求項３から５のいずれか一項に記載のネットワークノード。
【請求項１０】
前記ワイヤレスデバイスがＣＳＩ−ＲＳを測定するために使用すべきＰＲＢの前記サブセットの前記表示が、インデックス値ｋを含み、前記インデックス値ｋが、前記ワイヤレスデバイスにおいて記憶された複数の表示のうちの１つを指す、請求項３から５のいずれか一項に記載のネットワークノード。
【請求項１１】
前記ワイヤレスデバイスがＣＳＩ−ＲＳを測定するために使用すべきＰＲＢの前記サブセットの前記表示が、前記ワイヤレスデバイスがＣＳＩ−ＲＳを測定すべき連続的ＣＳＩ−ＲＳサブフレームの数をさらに含む、請求項３から１０のいずれか一項に記載のネットワークノード。
【請求項１２】
前記処理回路が、前記送信されたＣＳＩ−ＲＳのうちの１つまたは複数のＣＳＩ−ＲＳの測定に基づいて決定されたチャネル状態情報（ＣＳＩ）を前記ワイヤレスデバイスから受信するようにさらに動作可能である、請求項３から１１のいずれか一項に記載のネットワークノード。
【請求項１３】
チャネル状態情報参照信号（ＣＳＩ−ＲＳ）（１３５）を受信するように動作可能なワイヤレスデバイス（１１０）であって、処理回路（１９００）を備え、前記処理回路が、
前記ワイヤレスデバイスがＣＳＩ−ＲＳを測定するために使用すべき物理リソースブロック（ＰＲＢ）のサブセットの表示を受信することであって、前記ＣＳＩ−ＲＳの各々がアンテナポートに関連付けられ、ＰＲＢの前記サブセットがシステム帯域幅のサブセットを含む、ＰＲＢのサブセットの表示を受信することと、
ＰＲＢの前記表示されたサブセット上でＣＳＩ−ＲＳを受信することと
を行うように動作可能であり、前記ワイヤレスデバイスがＣＳＩ−ＲＳポートを測定するために使用すべきＰＲＢの前記サブセットの前記表示が、密度値およびコームオフセットを含む、ワイヤレスデバイス。
【請求項１４】
前記処理回路が、
前記受信されたＣＳＩ−ＲＳに基づいてチャネル状態情報（ＣＳＩ）を決定し、
前記ＣＳＩをネットワークノードに送信する
ようにさらに動作可能である、請求項１３に記載のワイヤレスデバイス。
【請求項１５】
ネットワークノードが総数のアンテナポート上でＣＳＩ−ＲＳを送信し、ＰＲＢの前記サブセットの各ＰＲＢが、前記総数のアンテナポートに対するＣＳＩ−ＲＳマッピングを含む、請求項１３または１４に記載のワイヤレスデバイス。
【請求項１６】
アンテナポートの前記総数が１６個より多い、請求項１５に記載のワイヤレスデバイス。
【請求項１７】
前記ワイヤレスデバイスがＣＳＩ−ＲＳを測定するために使用すべきＰＲＢの前記サブセットが、偶数のＰＲＢを含む、請求項１３から１６のいずれか一項に記載のワイヤレスデバイス。
【請求項１８】
前記ワイヤレスデバイスがＣＳＩ−ＲＳを測定するために使用すべきＰＲＢの前記サブセットが、奇数のＰＲＢを含む、請求項１３から１６のいずれか一項に記載のワイヤレスデバイス。
【請求項１９】
前記密度値が１／２の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
0006987788.tif 000053
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
0006987788.tif 000054
を含む
請求項１３から１６のいずれか一項に記載のワイヤレスデバイス。
【請求項２０】
前記密度値が１／３の密度を含み、
第１のコームオフセットが、前記ワイヤレスデバイスがＣＳＩ−ＲＳを測定するためにセットｍ１内の前記ＰＲＢを使用すべきであることを表示し、前記セットｍ１が、
0006987788.tif 000055
を含み、
第２のコームオフセットが、前記ワイヤレスデバイスがＣＳＩ−ＲＳを測定するためにセットｍ２内の前記ＰＲＢを使用すべきであることを表示し、前記セットｍ２が、
0006987788.tif 000056
を含み、
第３のコームオフセットが、前記ワイヤレスデバイスがＣＳＩ−ＲＳを測定するためにセットｍ３内の前記ＰＲＢを使用すべきであることを表示し、前記セットｍ３が、
0006987788.tif 000057
を含む
請求項１３から１６のいずれか一項に記載のワイヤレスデバイス。
【請求項２１】
前記ワイヤレスデバイスがＣＳＩ−ＲＳを測定するために使用すべきＰＲＢの前記サブセットの前記表示が、インデックス値ｋを含み、前記インデックス値ｋが、前記ワイヤレスデバイスにおいて記憶された複数の表示のうちの１つを指す、請求項１３から１６のいずれか一項に記載のワイヤレスデバイス。
【請求項２２】
前記ワイヤレスデバイスがＣＳＩ−ＲＳを測定するために使用すべきＰＲＢの前記サブセットの前記表示が、前記ワイヤレスデバイスがＣＳＩ−ＲＳを測定すべき連続的ＣＳＩ−ＲＳサブフレームの数をさらに含む、請求項１３から２１のいずれか一項に記載のワイヤレスデバイス。
【請求項２３】
前記処理回路が、前記数の連続的ＣＳＩ−ＲＳサブフレームを介して前記受信されたＣＳＩ−ＲＳに基づいてチャネル状態情報（ＣＳＩ）を決定するようにさらに動作可能である、請求項２２に記載のワイヤレスデバイス。
【発明の詳細な説明】
【技術分野】
【０００１】
特定の実施形態は、ワイヤレス通信に関し、より詳細には、低減密度チャネル状態情報参照信号（ＣＳＩ−ＲＳ）のための機構に関する。
【背景技術】
【０００２】
第３世代パートナーシッププロジェクト（３ＧＰＰ）ロングタームエボリューション（ＬＴＥ）は、ダウンリンクでは、各ダウンリンクシンボルがＯＦＤＭシンボルと呼ばれることがある直交周波数分割多重（ＯＦＤＭ）を使用し、アップリンクでは、各アップリンクシンボルがＳＣ−ＦＤＭＡシンボルと呼ばれることがある離散フーリエ変換（ＤＦＴ）拡散ＯＦＤＭを使用する。基本的なＬＴＥダウンリンク物理リソースは、図１に示すように、時間−周波数グリッドを有する。
【０００３】
次世代モバイルワイヤレス通信システム（５ＧまたはＮＲ）は、使用事例の多様なセット、および展開シナリオの多様なセットをサポートする。後者は、今日のＬＴＥと同様の低周波数（１００ＭＨｚ単位）と超高周波（１０ＧＨｚ単位のｍｍ波）の両方における展開を含む。高周波数において、伝搬特性は、良好なカバレッジの達成を困難にする。カバレッジ問題に対する１つの解決策は、一般的に、アナログ様式で高利得ビーム形成を採用して、満足なリンクバジェットを達成することである。より低い周波数においてビーム形成を使用することができ（一般的に、デジタルビーム形成）、このビーム形成は、すでに規格化されている３ＧＰＰ  ＬＴＥシステム（４Ｇ）と本質的に同様であることが予想される。
【０００４】
図１は、ある例示的なダウンリンク無線サブフレームを示す。横軸は時間を表し、もう１つの軸は周波数を表す。無線サブフレーム１０は、リソースエレメント１２を含む。各リソースエレメント１２は、１つのＯＦＤＭシンボル間隔の間の１個のＯＦＤＭサブキャリアに対応する。時間領域内で、ＬＴＥダウンリンク送信は、無線フレームに編成され得る。
【０００５】
ＬＴＥおよびＮＲは、ダウンリンクにおいてＯＦＤＭを使用し、アップリンクにおいてＤＦＴ拡散ＯＦＤＭまたはＯＦＤＭを使用する。基本的なＬＴＥまたはＮＲダウンリンク物理リソースは、したがって、各リソースエレメントが１つのＯＦＤＭシンボル間隔の間の１個のＯＦＤＭサブキャリアに対応する、図１に示すような、時間−周波数グリッドと見なすことができる。Δｆ＝１５ｋＨｚのサブキャリア間隔が図１に示されているが、ＮＲにおいて異なるサブキャリア間隔値がサポートされる。ＮＲにおいてサポートされるサブキャリア間隔値（異なるヌメロロジーでも呼ばれる）は、Δｆ＝（１５×２α）ｋＨｚによって与えられ、式中、αは非負整数である。
【０００６】
図２は、ある例示的な無線フレームを示す。無線フレーム１４はサブフレーム１０を含む。ＬＴＥでは、各無線フレーム１４は、１０ｍｓであり、１０個の、長さが等しいサイズのサブフレーム１０  Ｔサブフレーム＝１ｍｓからなる。ＬＴＥでは、標準サイクリックプレフィックスの場合、１個のサブフレームは１４個のＯＦＤＭシンボルからなり、各シンボルの持続時間は、およそ７１．４μｓである。ＮＲでは、サブフレーム長は、使用されるヌメロロジーにかかわらず１ｍｓに固定される。ＮＲでは、スロット当たり１４個のＯＦＤＭシンボルを仮定して１／２αによって（１５×２α）ｋＨｚのヌメロロジーに対するスロット持続時間が与えられ、サブフレーム当たりのスロットの数はヌメロロジーに応じる。
【０００７】
事前決定された時間量に対して特定の数のサブキャリアがユーザに割り振られる。これらは、物理リソースブロック（ＰＲＢ）と呼ばれる。ＰＲＢは、したがって、時間領域と周波数領域の両方を有する。ＬＴＥでは、リソースブロックは、時間領域内の１個のスロット（０．５ｍｓ）に対応し、周波数領域内の１２個の連続的サブキャリアに対応する。リソースブロックは、システム帯域幅の一端から０で開始して、周波数領域内で番号付けされる。ＮＲの場合、リソースブロックはまた、周波数領域内では１２個のサブキャリアであるが、時間領域内では１つまたは複数のスロットに及び得る。
【０００８】
ダウンリンク送信は現在のダウンリンクサブフレーム内で動的にスケジュールされ、すなわち、各サブフレーム内で、基地局は、どの端末にデータが送信され、どのリソースブロック上でデータが送信されるかに関する制御情報を送信する。ＬＴＥでは、制御シグナリングは、一般に、各サブフレーム内の最初の１個、２個、３個、または４個のＯＦＤＭシンボル内で送信される。
【０００９】
図３は、ある例示的なダウンリンクサブフレームを示す。サブフレーム１０は、参照シンボルおよび制御シグナリングを含む。示された例では、制御領域は、３個のＯＦＤＭシンボルを含む。参照シンボルは、精密な時間／周波数同期ならびに一定の送信モードに対するチャネル推定を含めて、複数の機能をサポートし得るセル固有参照シンボル（ＣＲＳ）を含む。
【００１０】
ＬＴＥは、いくつかの物理ダウンリンクチャネルを含む。ダウンリンク物理チャネルは、上位層から生じる情報を搬送するリソースエレメントのセットに対応する。以下は、ＬＴＥにおいてサポートされる物理チャネルのうちのいくつかである：物理ダウンリンク共有チャネル（ＰＤＳＣＨ）、物理ダウンリンク制御チャネル（ＰＤＣＣＨ）、拡張物理ダウンリンク制御チャネル（ＥＰＤＣＣＨ）、物理アップリンク共有チャネル（ＰＵＳＣＨ）、および物理アップリンク制御チャネル（ＰＵＣＣＨ）。
【００１１】
ＰＤＳＣＨは、主に、ユーザトラフィックデータおよび上位層メッセージを搬送するために使用される。図３に示すように、ＰＤＳＣＨは、制御領域外部でダウンリンクサブフレームによって送信される。ＰＲＢ割振り、変調レベルおよびコーディング方式（ＭＣＳ）、送信機において使用されるプリコーダなど、ダウンリンク制御情報（ＤＣＩ）を搬送するために、ＰＤＣＣＨとＥＰＤＣＣＨの両方が使用される。ＰＤＣＣＨは、ダウンリンクサブフレーム内の最初の１個から４個のＯＦＤＭシンボル（すなわち、制御領域）内で送信されるが、ＥＰＤＣＣＨは、ＰＤＳＣＨと同じ領域内で送信される。
【００１２】
ＬＴＥは、ダウンリンクおよびアップリンクのデータスケジューリングに対して異なるＤＣＩフォーマットを定義する。たとえば、アップリンクデータスケジューリングに対してＤＣＩフォーマット０および４が使用され、ダウンリンクデータスケジューリングに対してＤＣＩフォーマット１、１Ａ、１Ｂ、１Ｃ、１Ｄ、２、２Ａ、２Ｂ、２Ｃ、２Ｄ、３／３Ａが使用される。ＰＤＣＣＨに関して２つの探索空間が定義される（すなわち、共通探索空間およびＵＥ固有探索空間）。
【００１３】
共通探索空間は、それを介してすべてのユーザ機器（ＵＥ）がＰＤＣＣＨを監視するＰＤＣＣＨリソースからなる。ＵＥのすべてまたはグループを対象とするＰＤＣＣＨは、常に共通探索空間内で送信され、したがって、すべてのＵＥがＰＤＣＣＨを受信することができる。
【００１４】
ＵＥ固有探索空間は、ＵＥによって異なり得るＰＤＣＣＨリソースからなる。ＵＥは、ＰＤＣＣＨに関する、共通探索空間とその共通探索空間に関連するＵＥ固有探索空間の両方を監視する。ＤＣＩ  １Ｃは、すべてのＵＥを対象とするか、または無線ネットワーク一時識別子（ＲＮＴＩ）が割り当てられていないＵＥを対象とするＰＤＳＣＨに関する情報を搬送し、したがって、ＤＣＩ  １Ｃは常に共通探索空間内で送信される。ＤＣＩ  ０およびＤＣＩ  １Ａは、共通探索空間またはＵＥ固有探索空間のいずれの上でも送信され得る。ＤＣＩ  １Ｂ、１Ｄ、２、２Ａ、２Ｃ、および２Ｄは、常にＵＥ固有探索空間上で送信される。
【００１５】
ダウンリンクでは、データスケジューリングのためにどのＤＣＩフォーマットが使用されるかは、ダウンリンク送信方式および／または送信されるべきメッセージのタイプに関連付けられる。以下は、ＬＴＥにおいてサポートされる送信方式のうちのいくつかである：単一アンテナポート、送信ダイバーシチ（ＴｘＤ）、開ループ空間多重化、閉ループ空間多重化、および最高での８個のレイヤ送信。
【００１６】
ＰＤＣＣＨは、常に単一アンテナポートまたはＴｘＤ方式のいずれかを用いて送信されるが、ＰＤＳＣＨは、これらの送信方式のいずれか１つを使用することができる。ＬＴＥでは、ＵＥは、送信方式ではなく、送信モード（ＴＭ）で設定される。ＬＴＥではＰＤＳＣＨに対して１０個のＴＭ（すなわち、ＴＭ１からＴＭ１０）が定義されている。各ＴＭは、一次送信方式およびバックアップ送信方式を定義する。バックアップ送信方式は、単一アンテナポートまたはＴｘＤのいずれかである。一次送信方式は、ＴＭ１：単一アンテナポート、ポート０；ＴＭ２：ＴｘＤ；ＴＭ３：開ループＳＭ；ＴＭ４：閉ループＳＭ；ＴＭ９：最高で８個のレイヤ送信、ポート７〜１４；およびＴＭ１０：最高で８個のレイヤ送信、ポート７〜１４をＬＴＥに含む。
【００１７】
ＴＭ１からＴＭ６では、セル固有参照信号（ＣＲＳ）は、チャネル状態情報フィードバックとＵＥにおける復調の両方に関する参照信号として使用される。ＴＭ７からＴＭ１０では、ＵＥ固有復調参照信号（ＤＭＲＳ）は、復調のための参照信号として使用される。
【００１８】
ＬＴＥは、コードブックベースのプリコーディングを含む。マルチアンテナ技法は、データレートおよびワイヤレス通信システムの信頼性を著しく高める。送信機と受信機の両方が複数のアンテナを備え、結果として、多入力多出力（ＭＩＭＯ）通信チャネルをもたらす場合、性能は特に改善される。そのようなシステムおよび／または関連技法は、一般に、ＭＩＭＯと呼ばれる。
【００１９】
ＬＴＥにおけるコア構成要素は、ＭＩＭＯアンテナ展開およびＭＩＭＯ関連技法のサポートである。現在、チャネル依存プリコーディングとともに、２個、４個、８個、および１６個の１Ｄ送信（Ｔｘ）アンテナポートと、８個、１２個、および１６個Ｔｘ  ２Ｄアンテナポートとを備えた最高で８層の空間多重化がＬＴＥにおいてサポートされている。空間多重化モードは、好ましいチャネル条件での高データレートを目的とする。図４は、例示的な空間多重化動作を示す。
【００２０】
図４は、ＬＴＥにおけるプリコーディング空間多重化モードの論理構造を示すブロック図である。シンボルベクトルｓを搬送する情報は、（ＮＴ個のアンテナポートに対応する）ＮＴ次元ベクトル空間のサブスペース内で送信エネルギーを分散するようにサーブするＮＴ×ｒプリコーダ行列Ｗによって乗算される。
【００２１】
プリコーダ行列は、一般に、考えられるプリコーダ行列のコードブックから選択され、一般に、所与の数のシンボルストリームに対するコードブック内の一意のプリコーダ行列を指定するプリコーダ行列インジケータ（ＰＭＩ）によって表示される。ｓ内のｒ個のシンボルは、各々、レイヤに対応し、ｒは、送信ランクと呼ばれる。同じ時間／周波数リソースエレメント（ＴＦＲＥ）を介して複数のシンボルが同時に送信され得るため、空間多重化が達成される。シンボルｒの数は、一般に、現在にチャネル属性に適するように適合される。
【００２２】
ＬＴＥは、ダウンリンクにおいてＯＦＤＭを（および、アップリンクにおいてＤＦＴプリコードＯＦＤＭを）使用する。サブキャリアｎ上の一定のＴＦＲＥに関する受信されたＮＲｘ１ベクトルｙｎ（または、代替として、データＴＦＲＥ番号ｎ）は、したがって、
ｙｎ＝ＨｎＷｓｎ＋ｅｎ  式１
によってモデル形成され、式中、ｅｎは雑音／干渉ベクトルである。プリコーダＷは、周波数にわたって一定であるか、または周波数選択的な、広帯域プリコーダであってよい。
【００２３】
プリコーダ行列は、チャネル依存プリコーディングと呼ばれることがある、ＮＲ×ＮＴ  ＭＩＭＯチャネル行列Ｈｎの特性と整合するように選定されることが多い。これはまた、閉ループプリコーディングと一般に呼ばれ、送信エネルギーの大部分をＵＥに伝えるという意味で強いサブスペースに送信エネルギーを集中させることを本質的に試みる。加えて、プリコーダ行列はまた、チャネルを直交化するように選択され得、これは、ＵＥにおける適切な線形等化の後で、レイヤ間干渉が低減されることを意味する。
【００２４】
送信ランク、したがって、空間的に多重化されたレイヤの数は、プリコーダの列の数に反映される。効率的な性能のために、チャネル属性と整合するように送信ランクが選択され得る。
【００２５】
ＭＩＭＯは、シングルユーザＭＩＭＯおよびマルチユーザＭＩＭＯを含む。すべてのデータレイヤを１個のＵＥに送信することは、シングルユーザＭＩＭＯ（ＳＵ−ＭＩＭＯ）と呼ばれる。データレイヤを複数のＵＥに送信することは、マルチユーザＭＩＭＯ（ＭＵ−ＭＩＭＯ）と呼ばれる。
【００２６】
たとえば、２個のＵＥがトランシーバ基地局（ＢＴＳ）、すなわち、基地局（ＢＳ）において異なるプリコーダ（または、ビーム形成）を通して分離され得るように、それらのＵＥがセルの異なる領域内に位置するとき、ＭＵ−ＭＩＭＯが可能である。２個のＵＥは、異なるプリコーダまたはビームを使用することによって同じ時間−周波数リソース（すなわち、ＰＲＢ）上でサーブされ得る。
【００２７】
復調参照信号（ＤＭＲＳ）ベースの送信モードＴＭ９およびＴＭ１０では、異なるＤＭＲＳポートおよび／または異なるスクランブリングコードを備えた同じＤＭＲＳポートをＭＵ−ＭＩＭＯ送信のために異なるＵＥに割り当てることができる。この場合、ＭＵ−ＭＩＭＯはＵＥに透過的である（すなわち、ＵＥは同じＰＲＢ内の別のＵＥの共同スケジュールについて知らされていない）。ＭＵ−ＭＩＭＯは、ＳＵ−ＭＩＭＯよりも、ＵＥを分離する（すなわち、共同スケジュールされたＵＥに対するクロス干渉を低減する）目的でプリコーディングを使用するために、ｅＮＢに関してより正確なダウンリンクチャネル情報を必要とする。
【００２８】
ＬＴＥは、コードブックベースのチャネル状態情報（ＣＳＩ）推定およびフィードバックを含む。ＴＭ９およびＴＭ１０などの閉ループＭＩＭＯ送信方式では、ＵＥは、ダウンリンクＣＳＩを推定して、ｅＮＢにフィードバックする。ｅＮＢは、ダウンリンクデータをＵＥに送信するためにフィードバックＣＳＩを使用する。ＣＳＩは、送信ランクインジケータ（ＲＩ）、プリコーディング行列インジケータ（ＰＭＩ）、およびチャネル品質インジケータ（ＣＱＩ）からなる。
【００２９】
プリコーディング行列のコードブックは、いくつかの基準（たとえば、ＵＥスループット）に基づいて、推定されるダウンリンクチャネルＨｎとコードブック内のプリコーディング行列との間の最良の整合を見出すためにＵＥによって使用される。チャネルＨｎは、ＴＭ９およびＴＭ１０の場合、ダウンリンクにおいて送信される非ゼロ電力ＣＳＩ参照信号（ＮＺＰ  ＣＳＩ−ＲＳ）に基づいて推定される。
【００３０】
ＣＱＩ／ＲＩ／ＰＭＩはともに、ＵＥにダウンリンクチャネル状態を提供する。これは暗示的ＣＳＩフィードバックと呼ばれることもあるが、これは、Ｈｎの推定が直接フィードバックされないためである。ＣＱＩ／ＲＩ／ＰＭＩは、設定された報告モードに応じて、広帯域であってよく、またはサブバンド依存であってもよい。
【００３１】
ＲＩは、空間的に多重化されるべき、したがって、ダウンリンクチャネルを介して並行して送信されるべきストリームの推奨される数に対応する。ＰＭＩは、チャネルの空間特性に関する、送信のために推奨される（ＣＳＩ−ＲＳポート数と同数の行を備えたプリコーダを含むコードブック内の）プリコーディング行列コードワードを識別する。ＣＱＩは、推奨されるトランスポートブロックサイズ（すなわち、コードレート）を表し、ＬＴＥは、サブフレーム内でのトランスポートブロック（すなわち、情報の別個に符号化されたブロック）のＵＥへの１つまたは２つの同時（異なるレイヤ上の）送信の１つをサポートする。したがって、ＣＱＩと、それを介して１つまたは複数のトランスポートブロックが送信される空間ストリームの信号対干渉および雑音比（ＳＩＮＲ）との間に関係が存在する。
【００３２】
ＬＴＥは、最高で１６個のアンテナポートのコードブックを定義する。一次元（１Ｄ）アンテナアレイと二次元（２Ｄ）アンテナアレイの両方がサポートされる。ＬＴＥ  Ｒｅｌ−１２以前のＵＥは、２個、４個、または８個のアンテナポートを備えた、１Ｄポートレイアウトに対するコードブックフィードバックのみがサポートされる。したがって、コードブックはポートが直線で配置されると仮定して設計される。ＬＴＥ  Ｒｅｌ−１３では、８個、１２個、または１６個のアンテナポートの場合、２Ｄポートレイアウトに関するコードブックが指定された。加えて、１６個のアンテナポートの場合、コードブックＩＤポートレイアウトもＬＴＥ  Ｒｅｌ−１３において指定された。
【００３３】
ＬＴＥ  Ｒｅｌ−１３は、２つのタイプのＣＳＩ報告、すなわち、クラスＡおよびクラスＢを含む。クラスＡのＣＳＩ報告では、ＵＥは、８個、１２個、または１６個のアンテナポートで設定された２Ｄアンテナアレイに関する新しいコードブックに基づいてＣＳＩを測定して報告する。ＣＳＩは、Ｒｅｌ−１３前のＣＳＩ報告と同様の、ＲＩ、ＰＭＩ、および１つまたは複数のＣＱＩからなる。
【００３４】
クラスＢ  ＣＳＩ報告において、１つのシナリオ（「Ｋ＞１」と呼ばれる）では、ｅＮＢは、一方のアンテナ寸法で複数のビームを事前形成することができる。他方のアンテナ寸法で各ビーム内に複数のポート（１個、２個、４個、または８個のポート）が存在し得る。ビーム形成されたＣＳＩ−ＲＳは、各ビームに沿って送信される。ＵＥは、最初に、設定されたビームのグループから最良のビームを選択し、次いで、２個、４個、または８個のポートに関するレガシーコードブックに基づいて選択されたビーム内のＣＳＩを測定する。ＵＥは、次いで、選択されたビームインデックスおよび選択されたビームに対応するＣＳＩを返報する。
【００３５】
（「Ｋ＝１」と呼ばれる）別のシナリオでは、ｅＮＢは、各偏波上に最高で４個（２Ｄ）のビームを形成することができ、ビーム形成されたＣＳＩ−ＲＳは各ビームに沿って送信される。ＵＥは、ビーム形成されたＣＳＩ−ＲＳ上のＣＳＩを測定し、２個、４個、または８個のポートに関する新しいクラスＢコードブックに基づいてＣＳＩをフィードバックする。
【００３６】
ＬＴＥは、２つのタイプのＣＳＩフィードバック、すなわち、周期的フィードバックおよび非周期的フィードバックをサポートする。周期的ＣＳＩフィードバックでは、ＵＥは、いくつかの事前設定されたサブフレーム上でＣＳＩを周期的に報告するように設定される。フィードバック情報は、アップリンクＰＵＣＣＨチャネル上で搬送される。
【００３７】
非周期的ＣＳＩフィードバックでは、ＵＥは、ＣＳＩが要求されるときにのみＣＳＩを報告する。要求は、アップリンク付与（すなわち、ＰＤＣＣＨまたはＥＰＤＣＣＨ上で搬送されるＤＣＩ０またはＤＣＩ４のいずれかの中）でシグナリングされる。
【００３８】
ＬＴＥリリース−１０は、非ゼロ電力（ＮＺＰ）ＣＳＩ−ＲＳと呼ばれるチャネル状態情報を推定するための新しい参照シンボルシーケンスを含む。ＮＺＰ  ＣＳＩ−ＲＳは、以前のリリースにおいてその目的で使用されたセル固有参照シンボル（ＣＲＳ）に関するＣＳＩフィードバックに基づくことに勝るいくつかの利点を提供する。
【００３９】
一例として、ＮＺＰ  ＣＳＩ−ＲＳは、データ信号の復調のために使用されず、したがって、同じ密度を必要としない（すなわち、ＮＺＰ  ＣＳＩ−ＲＳのオーバヘッドは実質的に小さい）。別の例として、ＮＺＰ  ＣＳＩ−ＲＳは、ＣＳＩフィードバック測定値を設定するためによりフレキシブルな手段を提供する（たとえば、測定するＮＺＰ  ＣＳＩ−ＲＳリソースがＵＥ固有の様式で設定され得る）。ＮＺＰ  ＣＳＩ−ＲＳを測定することによって、ＵＥは、無線伝搬チャネルおよびアンテナ利得を含めて、ＮＺＰ  ＣＳＩ−ＲＳがトラバースしている効果的なチャネルを推定することができる。
【００４０】
ＬＴＥ  Ｒｅｌ−１１  ＵＥの場合、最高で８個のＮＺＰ  ＣＳＩ−ＲＳポートが設定され得る。ＵＥは、ＬＴＥ  Ｒｅｌ−１１において最高で８個の送信アンテナポートからチャネルを推定することができる。最高でＬＴＥ  Ｒｅｌ−１２まで、ＮＺＰ  ＣＳＩ−ＲＳは、２個の連続的なＲＥ上で２個のアンテナポートをオーバレイするために、長さ２の直交カバーコード（ＯＣＣ）を利用する。ＯＣＣは、符号分割多重化（ＣＤＭ）と交換可能に呼ばれることがある。
【００４１】
多くの異なるＮＺＰ  ＣＳＩ−ＲＳパターンが利用可能である。例が図５に示されている。
【００４２】
図５は、２個、４個、および８個のアンテナポートに対するＣＳＩ−ＲＳに関する潜在的な位置を示すリソースブロック対を備えたリソースエレメントグリッドを示す。各リソースエレメントグリッドは、１つのＰＲＢ１６を表す。横軸は時間領域を表し、縦軸は周波数領域を表す。
【００４３】
２個のＣＳＩ−ＲＳアンテナポートに対して、図５は、サブフレーム内の２０個の異なるパターン（すなわち、０および１と標示されたリソースエレメントの２０個の対）を示す。ある例示的なパターンが、クロスハッチングで示されている。
【００４４】
４個のＣＳＩ−ＲＳアンテナポートに対して、対応するパターン数は１０である（すなわち、０−３と標示された１０個のリソースエレメントグループ、ここで、同じグループ内のリソースエレメント対０および１ならびにリソースエレメント対２および３は、周波数領域内で６個のリソースエレメントによって分離されている）。ある例示的なパターンが、クロスハッチングで示されている。
【００４５】
８個のＣＳＩ−ＲＳアンテナポートに対して、対応するパターン数は５である（すなわち、０−７と標示された５個のリソースエレメントグループ、ここで、同じグループ内のリソースエレメント対０および１ならびにリソースエレメント対２および３は、周波数領域内で６個のリソースエレメントによって分離され、同じグループ内のリソースエレメント対４および５ならびにリソースエレメント対６および７は、周波数領域内で６個のリソースエレメントによって分割されている）。ある例示的なパターンが、クロスハッチングで示されている。
【００４６】
示される例は、周波数分割複信（ＦＤＤ）に関する。時分割複信（ＴＤＤ）の場合、追加のＣＳＩ−ＲＳパターンが利用可能である。
【００４７】
ＣＳＩ−ＲＳに関する参照信号シーケンスは、３ＧＰＰ  ＴＳ３６．２１１のセクション６．１０．５．１において、
0006987788.tif 000002
として定義され、式中、ｎｓは、無線フレーム内のスロットの数であり、ｌは、スロット内のＯＦＤＭシンボル数である。それぞれ、３ＧＰＰ  ＴＳ３６．２１１のセクション７．２および６．１０．５．１に従って、疑似乱数列ｃ（ｉ）が生成されて初期化される。さらに、式２では、
0006987788.tif 000003
は、３ＧＰＰ  ＴＳ３６．２１１によってサポートされる最大ダウンリンク帯域幅設定である。
【００４８】
ＬＴＥ  Ｒｅｌ−１３では、ＮＺＰ  ＣＳＩ−ＲＳリソースは、１２個および１６個のポートを含むように拡張される。そのようなＲｅｌ−１３  ＮＺＰ  ＣＳＩ−ＲＳリソースは、（１２ポートＮＺＰ  ＣＳＩ−ＲＳリソースを形成するために）３個のレガシー４ポートＣＳＩ−ＲＳリソースまたは（１６ポートＮＺＰ  ＣＳＩ−ＲＳリソースを形成するために）２個のレガシー８ポートＣＳＩ−ＲＳリソースをアグリゲートすることによって取得される。すべてのアグリゲートされたＮＺＰ  ＣＳＩ−ＲＳリソースは、同じサブフレーム内に位置する。１２ポートおよび１６ポートのＮＺＰ  ＣＳＩ−ＲＳリソースを形成する例が、それぞれ、図６Ａおよび図６Ｂに示されている。
【００４９】
図６Ａおよび６Ｂは、それぞれ、１２個および１６個のアンテナポートに対するＣＳＩ−ＲＳに関する潜在的な位置を示すリソースブロック対を備えたリソースエレメントグリッドを示す。横軸は時間領域を表し、縦軸は周波数領域を表す。
【００５０】
図６Ａは、１２ポートＮＺＰ  ＣＳＩ−ＲＳリソースを形成するために３個の４ポートリソースをアグリゲートする例を示す。同じ４ポートリソースの各リソースエレメントは、同じ番号で標示される（たとえば、１と標示された４個のリソースは１個の４ポートリソースを形成し、２と標示された４個のリソースは第２の４ポートリソースを形成し、３と標示された４個のリソースは第３の４ポートリソースを形成する）。ともに、３個のアグリゲートされた４ポートリソースは、１２ポートリソースを形成する。
【００５１】
図６Ｂは、１６ポートＮＺＰ  ＣＳＩ−ＲＳリソースを形成するために２個の８ポートリソースをアグリゲートする例を示す。同じ８ポートリソースの各リソースエレメントは、同じ番号で標示される（たとえば、１と標示された８個のリソースは１個の８ポートリソースを形成し、２と標示された８個のリソースは第２の８ポートリソースを形成する）。ともに、２個のアグリゲートされた８ポートリソースは、１６ポートリソースを形成する。
【００５２】
所与のサブフレームにおいて、３個の１２ポートリソース設定（すなわち、使用される１０個の４ポートリソースのうちの９個）および２個の１６ポートリソース設定（すなわち、使用される５個の８ポートリソースのうちの４個）が可能である。アグリゲートされたＮＺＰ  ＣＳＩ−ＲＳリソースに対して、以下のポート番号付けが使用される。１６個のＮＺＰ  ＣＳＩ−ＲＳポートに対して、アグリゲートされたポート数は、１５、１６、１７、１８、１９、２０、２１、２２、２３、２４、２５、２６、２７、２８、２９、および３０である。１２個のＮＺＰ  ＣＳＩ−ＲＳポートに対して、アグリゲートされたポート数は、１５、１６、１７、１８、１９、２０、２１、２２、２３、２４、２５、および２６である。
【００５３】
加えて、Ｒｅｌ−１３  ＮＺＰ  ＣＳＩ−ＲＳ設計は、２個の異なるＯＣＣ長をサポートする。１２ポートおよび１６ポートのＮＺＰ  ＣＳＩ−ＲＳに対して、ＯＣＣ長２および４を使用してアンテナポートを多重化することが可能である。ＬＴＥにおいて最高でリリース１３まで、ＣＳＩ−ＲＳが１個のＲＥ／ポート／ＰＲＢの密度を備えた、システム帯域幅内のすべてのＰＲＢ内で送信される。
【００５４】
ＯＣＣ長さ２を使用する例が図７および図８に示されている。ＯＣＣ長４を使用する例が図９および図１０に示されている。
【００５５】
図７は、ＯＣＣ長２を有する１２個のポートに対するある例示的なＮＺＰ  ＣＳＩ−ＲＳ設計を備えたリソースエレメントグリッドを示す。文字Ａ〜Ｊによって異なる４ポートＮＺＰ  ＣＳＩ−ＲＳリソースが示されている。たとえば、４ポートリソースＡ、Ｆ、およびＪは、１２ポートＮＺＰ  ＣＳＩ−ＲＳリソースを形成するようにアグリゲートされ得る。同じサブキャリアインデックスおよび隣接するＯＦＤＭシンボルインデックスを有する２個のリソースエレメントにわたって長さ２のＯＣＣが適用される（たとえば、スロット０内にＯＦＤＭシンボルインデックス５〜６およびサブキャリアインデックス９を有するリソースエレメントにＯＣＣ２が適用される）。
【００５６】
図８は、ＯＣＣ長２を有する１６個のポートに対するある例示的なＮＸＰ  ＣＳＩ−ＲＳ設計を備えたリソースエレメントグリッドを示す。番号（たとえば、０〜４）によって異なる８ポートＮＺＰ  ＣＳＩ−ＲＳリソースが表示されている。文字（たとえば、Ａ〜Ｄ）によって８ポートリソースを備えたリソース対が表示されている。たとえば、リソース対Ａ０、Ｂ０、Ｃ０、およびＤ０は、１個の８ポートＮＺＰ  ＣＳＩ−ＲＳリソースを形成する。リソース対Ａ３、Ｂ２、Ｃ３、およびＤ３は、別の８ポートＮＺＰ  ＣＳＩ−ＲＳリソースを形成する。８ポートＮＺＰ  ＣＳＩ−ＲＳリソース０および３は、たとえば、１６ポートＮＺＰ  ＣＳＩ−ＲＳリソースを形成するようにアグリゲートされ得る。同じサブキャリアインデックスおよび隣接するＯＦＤＭシンボルインデックスを有する２個のリソースエレメントにわたって長さ２のＯＣＣが適用される（たとえば、スロット１内にＯＦＤＭシンボルインデックス２〜３およびサブキャリアインデックス７を有するリソースエレメントにＯＣＣ２が適用される）。
【００５７】
ＯＣＣ長２の事例（すなわち、上位層パラメータ「ｃｄｍＴｙｐｅ」がｃｄｍ２にセットされているとき、またはエボルブドユニバーサル地上無線アクセスネットワーク（ＥＵＴＲＡＮ）によって「ｃｄｍＴｙｐｅ」が設定されていないとき、さらなる詳細については、３ＧＰＰ  ＴＳ３６．３３１を参照されたい）の場合、アンテナポートｐに関する参照シンボルとして使用される複素数値変調シンボル
0006987788.tif 000004
に対する式２の参照信号シーケンス
0006987788.tif 000005
のマッピングは、
0006987788.tif 000006
として定義され、
式中、
0006987788.tif 000007
【００５８】
式３および４において、
0006987788.tif 000008
は、ダウンリンク送信帯域幅を表し、インデックスｋ’およびｌ’は、（各ＰＲＢの下部から開始する）サブキャリアインデックスを表示し、（各スロットの右側から開始する）ＯＦＤＭシンボルインデックスを表示する。異なるＣＳＩ−ＲＳリソース設定への異なる（ｋ'、ｌ’）対のマッピングが表１に与えられている。ＯＣＣ長２の事例の場合、数量ｐ’は、以下のようにアンテナポート数ｐに関係する。
・  最高で８個のアンテナポートを使用するＣＳＩ−ＲＳに対してｐ＝ｐ’
・  上位パラメータ「ｃｄｍＴｙｐｅ」が、８個より多いアンテナポートを使用するＣＳＩ−ＲＳに対してｃｄｍ２にセットされているとき、
0006987788.tif 000009
式中、
0006987788.tif 000010
は、ＣＳＩリソース数であり、
0006987788.tif 000011
および
0006987788.tif 000012
は、それぞれ、アグリゲートされたＣＳＩ−ＲＳリソース数およびアグリゲートされたＣＳＩ−ＲＳリソースごとのアンテナポート数を示す。上述のように、１２ポートＮＺＰ  ＣＳＩ−ＲＳ設計および１６ポートＮＺＰ  ＣＳＩ−ＲＳ設計の事例に対して
0006987788.tif 000013
および
0006987788.tif 000014
の許容値が表２に与えられている。
0006987788.tif 000015
0006987788.tif 000016
【００５９】
図９は、ＯＣＣ長４を有する１２個のポートに対するある例示的なＮＺＰ  ＣＳＩ−ＲＳ設計を備えたリソースエレメントグリッドを示す。異なる４ポートＮＺＰ  ＣＳＩ−ＲＳリソースが文字Ａ〜Ｊによって示されている。たとえば、４ポートリソースＡ、Ｆ、およびＪは、１２ポートＮＺＰ  ＣＳＩ−ＲＳリソースを形成するためにアグリゲートされ得る。ＣＤＭグループ内で長さ４のＯＣＣが適用され、ここで、ＣＤＭグループは、レガシー４ポートＣＳＩ−ＲＳをマッピングするために使用される４個のリソースエレメントからなる。すなわち、同じ文字で標示されたリソースエレメントは、１個のＣＤＭグループを備える。
【００６０】
図１０は、ＯＣＣ長４を有する１６個のポートに対するある例示的なＮＺＰ  ＣＳＩ−ＲＳ設計を備えたリソースエレメントグリッドを示す。異なる８ポートＮＺＰ  ＣＳＩ−ＲＳリソースが数（たとえば、０〜４）によって表示される。８ポートリソースを備えるリソース対が文字（たとえば、Ａ〜Ｂ）によって表示される。たとえば、Ａ０およびＢ０と標示されたリソース対は、１個の８ポートＮＺＰ  ＣＳＩ−ＲＳリソースを形成する。Ａ３およびＢ３と標示されたリソース対は、別の８ポートＮＺＰ  ＣＳＩ−ＲＳリソースを形成する。８ポートＮＺＰ  ＣＳＩ−ＲＳリソース０および３は、たとえば、１６ポートＮＺＰ  ＣＳＩ−ＲＳリソースを形成するようにアグリゲートされ得る。ＡおよびＢは、各８ポートリソース内のＣＤＭグループである。長さ４を有するＯＣＣが各ＣＤＭグループ内で適用される。
【００６１】
ＯＣＣ長４の事例（すなわち、上位層パラメータ「ｃｄｍＴｙｐｅ」がｃｄｍ４にセットされるとき、さらなる詳細に関しては３ＧＰＰ  ＴＳ３６．３３１を参照されたい）の場合、アンテナポートｐに関する参照シンボルとして使用される複素値変調シンボル
0006987788.tif 000017
に対する式２の参照信号シーケンス
0006987788.tif 000018
の
マッピングは、以下のように定義される。
0006987788.tif 000019
式中、
0006987788.tif 000020
式６および７では、
0006987788.tif 000021
は、ダウンリンク送信帯域幅を表し、
0006987788.tif 000022
は、アグリゲートされたＣＳＩ−ＲＳリソースごとのアンテナポート数を示し、インデックスｋ’およびｌ’は、（各ＲＢの下部から開始する）サブキャリアインデックスおよび（各スロットの右側から開始する）ＯＦＤＭシンボルインデックスを表示する。異なるＣＳＩ−ＲＳリソース設定に対する異なる（ｋ’、ｌ’）対のマッピングが表１に与えられている。さらに、式６のｗｐ’（ｉ）が表３によって与えられている。上位層パラメータ「ｃｄｍＴｙｐｅ」が８個より多いアンテナポートを使用するＣＳＩ−ＲＳに対するｃｄｍ４にセットされているとき、アンテナポート数は、以下の通りである。
0006987788.tif 000023
式中、ＣＳＩ−ＲＳリソース数
0006987788.tif 000024
に関して
0006987788.tif 000025
である。
0006987788.tif 000026
【００６２】
ＬＴＥリリース１３  ＮＺＰ  ＣＳＩ−ＲＳ設計におけるサブフレーム内の異なる１２ポートＣＳＩ−ＲＳ設定および１６ポートＣＳＩ−ＲＳ設定の数は、それぞれ、３および２である。すなわち、１２ポート事例の場合、３個の異なるＣＳＩ−ＲＳ設定が形成され得、ここで、各設定は、３個のレガシー４ポートＣＳＩ−ＲＳ設定をアグリゲートすることによって形成される。これは、ＰＲＢ内のＣＳＩ−ＲＳに対して利用可能な４０個のＣＳＩ−ＲＳリソースエレメントのうち３６個のＣＳＩ−ＲＳリソースエレメントを消費する。１６ポート事例の場合、２個の異なるＣＳＩ−ＲＳ設定が形成され得、ここで、各設定は、２個のレガシー８ポートＣＳＩ−ＲＳ設定をアグリゲートすることによって形成される。これは、ＰＲＢ内のＣＳＩ−ＲＳに対して利用可能な４０個のＣＳＩ−ＲＳリソースエレメントのうち３２個のＣＳＩ−ＲＳリソースエレメントを消費する。
【００６３】
ＬＴＥでは、ＣＳＩ−ＲＳは、ＣＳＩ−ＲＳサブフレームと呼ばれる、いくつかのサブフレーム上で周期的に送信され得る。ＮＲでは、ＣＳＩ−ＲＳはいくつかのスロット（すなわち、ＣＳＩ−ＲＳスロット）上で送信され得る。ＣＳＩ−ＲＳサブフレームという用語は、ＣＳＩ−ＲＳサブフレームまたはＣＳＩ−ＲＳスロットを指すために交換可能に使用され得る。ＣＳＩ−ＲＳサブフレーム／スロット設定は、サブフレーム／スロット周期性およびサブフレーム／スロットオフセットからなる。ＬＴＥでは、周期性は、５ｍｓ、１０ｍｓ、２０ｍｓ、４０ｍｓ、および８０ｍｓにおいて設定可能である。
【００６４】
ＣＳＩ−ＲＳ設定は、ＣＳＩ−ＲＳリソース設定およびＣＳＩ−ＲＳサブフレーム設定からなる。ＵＥは、ＣＳＩフィードバックに関して最高で３個のＣＳＩ−ＲＳ設定で設定され得る。
【００６５】
ＣＳＩ−ＲＳチャネル推定を改善するために、ｅＮＢは、ゼロ電力ＣＳＩ−ＲＳまたはＺＰ  ＣＳＩ−ＲＳと呼ばれる、いくつかのＣＳＩ−ＲＳ  ＲＥ内で何の信号も送らなくてよい。ＣＳＩ推定のために使用されるＣＳＩ−ＲＳはまた、非ゼロ電力ＣＳＩ−ＲＳまたはＮＺＰ  ＣＳＩ−ＲＳと呼ばれる。（第１のセル上の、第１のビーム上の、かつ／または第１のＵＥを対象とする）第１の送信におけるＺＰ  ＣＳＩ−ＲＳ  ＲＥが第２の送信（第２のセル上の、第２のビーム上の、かつ／または第２のＵＥを対象とする）第２の送信におけるＮＺＰ  ＣＳＩ−ＲＳ  ＲＥに一致するとき、第１の送信は、第２の送信においてＮＺＰ  ＣＳＩ−ＲＳに干渉しない。このようにして干渉を回避することによって、セル、ビーム、および／またはＵＥに関するＣＳＩ−ＲＳチャネル推定が改善され得る。
【００６６】
物理チャネルまたは物理信号が別個の、直交リソース内でＫ回送信されるとき、これは、Ｋの再使用率（ｒｅｕｓｅ  ｆａｃｔｏｒ）と呼ばれる。ＣＳＩ−ＲＳに関するＫ個のセルの再使用率は、Ｋ個の重複しない（すなわち、これらのＣＳＩ−ＲＳリソースが同じサブフレームを占有する場合、同じＲＥを占有しない）ＣＳＩ−ＲＳリソースが各セル内で設定または確保され、Ｋ個のリソースのうちの１個が各セルによって使用されることを意味する。
【００６７】
図１１は、ＣＳＩ−ＲＳに関する再使用率Ｋ＝３のある例を示す。より具体的には、図１１は、３個のＣＳＩ−ＲＳリソースが各セル内で設定されるが、１個のＣＳＩ−ＲＳリソースのみがＮＺＰ  ＣＳＩ−ＲＳに関して設定され、他の２個のＣＳＩ−ＲＳリソースはＺＰ  ＣＳＩ−ＲＳとして設定される、ＣＳＩ−ＲＳに関する再使用率Ｋ＝３の一例を示す。
【００６８】
異なるセル内のＮＺＰ  ＣＳＩ−ＲＳは、重複しない。たとえば、サブフレーム内のＣＳＩ−ＲＳに対して利用可能な４０個のＲＥのうち２１個が１個のセルによってＮＺＰ  ＣＳＩ−ＲＳに関して使用される場合、残りの１９個のＣＳＩ−ＲＳ  ＲＥは別のセル内の２０ポートＮＺＰ  ＣＳＩ−ＲＳを設定するために十分ではない。したがって、１個のセルのみが、他のセルのＣＳＩ−ＲＳとのＣＳＩ−ＲＳ衝突なしにサブフレーム内で２０個より多いＮＺＰ  ＣＳＩ−ＲＳを送信することができる。したがって、２０個より多いポートを用いてＫ＞１再使用率を達成するために、セルは、それらのＣＳＩ−ＲＳを異なるサブフレーム内で送信しなければならない。以下で論じるように、Ｒｅｌ−１３  ＵＥは、一般に、ＴＣＳＩ−ＲＳ個のサブフレームからの１個のサブフレーム内でＺＰ  ＣＳＩ−ＲＳを受信するようにのみ設定され得る。
【００６９】
４個のアンテナポートに対するＣＳＩ−ＲＳ  ＲＥのみをＺＰ  ＣＳＩ−ＲＳに割り振ることができる。ＺＰ  ＣＳＩ−ＲＳサブフレーム設定は、ＺＰ  ＣＳＩ−ＲＳに関連付けられる。ＺＰ  ＣＳＩ−ＲＳサブフレーム設定は、ＮＺＰ  ＣＳＩ−ＲＳ設定と同じであってよく、または異なってもよい。
【００７０】
ＣＳＩ参照信号の発生に関するサブフレーム設定周期ＴＣＳＩ−ＲＳおよびサブフレームオフセットΔＣＳＩ−ＲＳが、３ＧＰＰ  ＴＳ３６．２１１の（以下で表４として示される）表６．１０．５．３−１に列挙されている。表４内のパラメータＩＣＳＩ−ＲＳは、ＵＥが非ゼロ送信電力およびゼロ送信電力を仮定すべきＣＳＩ参照信号に関して別個に設定され得る。
0006987788.tif 000027
【００７１】
一般に、全次元ＭＩＭＯ（ＦＤ−ＭＩＭＯ）ＵＥ（クラスＡまたはクラスＢ  ＣＳＩ報告のために設定されたＭＩＭＯ（ＥＤ−ＭＩＭＯ）ＵＥ）のみが１つのＺＰ  ＣＳＩ−ＲＳ設定で設定され得る。２個のサブフレームセットを使用した１つまたは複数の発見信号受信をサポートするＵＥは、２個以上のＺＰ  ＣＳＩ−ＲＳ設定をサポートし得る。ＦＤ−ＭＩＭＯ  ＵＥはこれらの特徴をサポートすることを必要とされない。
【００７２】
ＦＤ−ＭＩＭＯ  ＵＥは、Ｒｅｌ−１３では、最高で１６個のＣＳＩ−ＲＳポートのみをサポートするため、ＮＺＰ  ＣＳＩ−ＲＳを保護するために、ＺＰ  ＣＳＩ−ＲＳを使用する間に最高で２の再使用率がサポートされ得るが、これは、上記で説明したように、１６個のポートの２個のセットが１個のサブフレームにフィットするためである。しかしながら、Ｒｅｌ−１４は、最高で３２個のポートを含むことができ、Ｒｅｌ−１３では、いくつかのＦＤ−ＭＩＭＯ  ＵＥに対して１個のＺＰ  ＣＳＩ−ＲＳのみが設定され得るため、異なるサブフレーム内でＺＰ−ＣＳＩ−ＲＳを有する、２個以上のＮＺＰ  ＣＳＩ−ＲＳを保護するＲｅｌ−１３機構は利用可能ではない。したがって、再使用パターン＞２は、３２個のポートを備えたこれらのＵＥに対して可能ではない。
【００７３】
ＴＭ１０は、ＣＳＩプロセスと呼ばれる概念を含む（３ＧＰＰ  ＴＳ３６．２１３を参照されたい）。ＣＳＩプロセスは、ＮＺＰ  ＣＳＩ−ＲＳリソースおよびＣＳＩ干渉測定（ＣＳＩ−ＩＭ）リソースに関連付けられる。ＣＳＩ−ＩＭリソースは、ＺＰ  ＣＳＩ−ＲＳリソースおよびＺＰ  ＣＳＩ−ＲＳサブフレーム設定によって定義される。ＵＥは、最高で３個のＣＳＩ−ＲＳプロセスを用いて設定され得る。ＵＥが各送信点（ＴＰ）に関連するＣＳＩを測定してｅＮＢにフィードバックする協調マルチポイント（ＣＯＭＰ）送信をサポートするために複数のＣＳＩプロセスが使用される。受信されたＣＳＩに基づいて、ｅＮＢは、ＴＰのうちの１つからＵＥにデータを送信することを判定することができる。
【００７４】
Ｒｅｌ−１３では、ＣＳＩ−ＩＭは、ＣＳＩ−ＩＭ数がＮＺＰ  ＣＳＩ−ＲＳリソース数に等しいように、常に、１対１の様式でＮＺＰ  ＣＳＩ−ＲＳリソースに関連付けられる。したがって、ＣＳＩ−ＩＭはＺＰ  ＣＳＩ−ＲＳリソースから構築されるが、ＣＳＩ−ＩＭは、他のＮＺＰ  ＣＳＩ−ＲＳに対する干渉を防ぐためには適切ではなく、したがって、ＣＳＩ−ＲＳ再使用率を高めるためには有用ではない。
【００７５】
ＴＭ９およびＴＭ１０の場合、測定制約がＬＴＥリリース１３内に含まれている。ＣＳＩ測定は、１個のサブフレーム内のＣＳＩ−ＲＳリソースまたはＣＳＩ−ＩＭリソースに限定され得る。
【００７６】
ＴＭ９またはＴＭ１０におけるＵＥの場合、かつＣＳＩプロセスの場合、ＵＥが上位層によるパラメータＣＳＩ−Ｒｅｐｏｒｔｉｎｇ−Ｔｙｐｅで設定され、ＣＳＩ−Ｒｅｐｏｒｔｉｎｇ−Ｔｙｐｅが「クラスＢ」にセットされ、パラメータｃｈａｎｎｅｌＭｅａｓＲｅｓｔｒｉｃｔｉｏｎが上位層によって設定される場合、ＵＥは、最近の、ＣＳＩ参照リソース以前の、ＣＳＩプロセスに関連して設定されたＣＳＩ−ＲＳリソース内の非ゼロ電力ＣＳＩ−ＲＳのみに基づいて、アップリンクサブフレームｎ内で報告され、ＣＳＩプロセスに対応する、ＣＱＩ値を計算するためのチャネル測定値を導出するべきである。
【００７７】
ＴＭ１０のＵＥの場合、およびＣＳＩプロセスの場合、パラメータＣＳ−ＲｅｐｏｒｔｉｎｇＴｙｐｅおよびｉｎｔｅｒｆｅｒｅｎｃｅＭｅａｓＲｅｓｔｒｉｃｔｉｏｎが上位層によって設定されるとき、ＵＥは、最近の、ＣＳＩ参照リソース以前の、ＣＳＩプロセスに関連する設定されたＣＳＩ−ＩＭリソースのみに基づいて、アップリンクサブフレームｎ内で報告され、ＣＳＩプロセスに対応する、ＣＱＩ値を計算するための干渉測定値を導出すべきである。
【００７８】
１個のＣＳＩ−ＲＳサブフレームに対するチャネル測定制限がクラスＢにおいて必要とされ、その場合、ＣＳＩ−ＲＳに関するプリコーディングは、異なるＣＳＩ−ＲＳサブフレーム内で異なり得る。
【００７９】
ＬＴＥ  Ｒｅｌ−１４では、最高で３２個のアンテナポートがダウンリンク内でサポートされ得る。しかしながら、ＣＳＩ−ＲＳサブフレーム内でＰＲＢごとに最大で４０個のＣＳＩ−ＲＳ  ＲＥが利用可能である。したがって、１個の３２ポートＣＳＩ−ＲＳ設定のみがＣＳＩ−ＲＳサブフレームごとにサポートされ得る。ＣＳＩ−ＲＳオーバヘッド、および３２個のポートを備えた、より多数のＣＳＩ−ＲＳ設定を可能にするための数をどのように増大させるかについての機構をどのように低減させるかは、３ＧＰＰ  ＴＳＧ−ＲＡＮ  Ｒ１−１６３０７９、「ＣＳＩ−ＲＳ  Ｄｅｓｉｇｎ  ｆｏｒ  Ｃｌａｓｓ  Ａ  ｅＦＤ−ＭＩＭＯ」で論じられている。Ｒ１−１６３０７９で説明されている、周波数領域における測定制約（ＭＲ）は、これらの目標を達成し得る１つの技法である。
【００８０】
周波数領域におけるＭＲの一般的概念がＲ１−１６３０７９において説明されているが、この技法のいくつかの詳細は依然として欠けている。たとえば、１つの問題は、測定制約が設定されるとき、ＵＥがポートマッピングに対するリソースエレメントをどのように解釈するかが明瞭に定義されていない。
【００８１】
上記の表４で示したように、ＵＥが１つのＺＰ  ＣＳＩ−ＲＳ設定のみをサポートする場合、サービングセルに関するＺＰ  ＣＳＩ−ＲＳは、単一のＣＳＩ−ＲＳ−ＳｕｂｆｒａｍｅＣｏｎｆｉｇパラメータでのみ設定され得る。これは、ＺＰ  ＣＳＩ−ＲＳは１つの所与のサブフレーム設定でのみ発生し得ることを意味する。しかしながら、ＬＴＥリリース１４ではますます多くのＣＳＩ−ＲＳポートが利用可能であり、単一のサブフレーム内でＣＳＩ−ＲＳに関して１よりも高い再使用率を達成することは、３２個のＣＳＩ−ＲＳポートなど、多数のＣＳＩ−ＲＳポートの場合、不可能である。
【発明の概要】
【００８２】
本明細書で説明する実施形態は、周波数領域（ＦＤ）内の測定制約（ＭＲ）のためのポートマッピングのためのリソースエレメント（ＲＥ）に関する。特定の実施形態は、物理リソースブロック（ＰＲＢ）のサブセット上ですべてのポートを測定するようにｅＮＢがユーザ機器（ＵＥ）を半静的に設定する場合のポートマッピング方式を含む。いくつかの実施形態は、ＭＲセットがどのようにシグナリングされ得るかに関する様々な代替案を含む。
【００８３】
特定の実施形態は、ＵＥがＰＲＢの１個のセットに対するＣＳＩ−ＲＳポートの１つのサブセット上、およびＰＲＢの異なるセットに対するアンテナポートのもう１つのサブセット上のチャネルを測定するように半静的に設定される場合のポートマッピング方式を含む。ポートのサブセットを含むＭＲセットおよびＣＳＩ−ＲＳリソースセットに関する様々な代替案について説明される。特定の実施形態は、ＲＲＣ設定されたＭＲ＿ｓｅｔおよび／またはＣＳＩ−ＲＳリリースセットパラメータを設定可能な様式で使用してポートマッピングに対するＲＥがどのように実行されるかについて説明する。
【００８４】
いくつかの実施形態は、複数のＺＰ  ＣＳＩ−ＲＳサブフレーム設定を含む。たとえば、特定の実施形態は、より高い再使用率を可能にするように複数のＺＰ  ＣＳＩ−ＲＳサブフレーム設定を設定することを含む。
【００８５】
いくつかの実施形態によれば、ネットワークノード内で使用するための、チャネル状態情報参照信号（ＣＳＩ−ＲＳ）を送信する方法は、ワイヤレスデバイスがＣＳＩ−ＲＳを測定するために使用すべき物理リソースブロック（ＰＲＢ）のサブセットの表示をワイヤレスデバイスに送信することを含む。各ＣＳＩ−ＲＳはアンテナポートに関連付けられる。ＰＲＢのサブセットはシステム帯域幅のサブセットを含む。この方法は、ＰＲＢの表示されたサブセット上でＣＳＩ−ＲＳを送信することをさらに含む。
【００８６】
この方法は、表示を送信するのに先立って、ネットワークノードが、ワイヤレスデバイスがＣＳＩ−ＲＳを測定するために使用すべき物理リソースブロック（ＰＲＢ）のサブセットの表示を取得することをさらに含み得る。
【００８７】
特定の実施形態では、ネットワークノードは総数の（たとえば、１６個より多い）アンテナポート上でＣＳＩ−ＲＳを送信し、ＰＲＢのサブセットの各ＰＲＢは、総数のアンテナポートに対するＣＳＩ−ＲＳマッピングを含む。
【００８８】
特定の実施形態では、ワイヤレスデバイスがＣＳＩ−ＲＳを測定するために使用すべきＰＲＢのサブセットは、偶数の番号が付けられたＰＲＢまたは奇数の番号が付けられたＰＲＢを含む。ワイヤレスデバイスがＣＳＩ−ＲＳを測定するために使用すべきＰＲＢのサブセットの表示は、密度値およびコームオフセットを備え得る。
【００８９】
たとえば、密度値は、１／２の密度を含み得る。第１のコームオフセットは、ワイヤレスデバイスがＣＳＩ−ＲＳを測定するために、セットｍ１内の、より正確には、セットｍ１によって識別された、ＰＲＢを使用すべきであることを表示し、セットｍ１は、
0006987788.tif 000028
を含む。第２のコームオフセットは、ワイヤレスデバイスが、ＣＳＩ−ＲＳを測定するために、セットｍ２内の、より正確には、セットｍ２によって識別された、ＰＲＢを使用すべきであることを表示し、セットｍ２は、
0006987788.tif 000029
を含む。
【００９０】
別の例として、密度値は、１／３の密度を含み得る。第１のコームオフセットは、ワイヤレスデバイスが、ＣＳＩ−ＲＳを測定するために、セットｍ１内の、より正確には、セットｍ１によって識別された、ＰＲＢを使用すべきであることを表示し、セットｍ１は、
0006987788.tif 000030
を含む。第２のコームオフセットは、ワイヤレスデバイスが、ＣＳＩ−ＲＳを測定するために、セットｍ２内の、より正確には、セットｍ２によって識別された、ＰＲＢを使用すべきであることを表示し、セットｍ２は、
0006987788.tif 000031
を含む。第３のコームオフセットは、ワイヤレスデバイスが、ＣＳＩ−ＲＳを測定するために、セットｍ３内の、より正確には、セットｍ３によって識別された、ＰＲＢを使用すべきであることを表示し、セットｍ３は、
0006987788.tif 000032
を含む。
【００９１】
ワイヤレスデバイスがＣＳＩ−ＲＳポートを測定するために使用すべきＰＲＢのサブセットの表示は、インデックス値ｋを含み得る。インデックス値ｋは、ワイヤレスデバイスにおいて記憶された複数の表示のうちの１つを指す。
【００９２】
特定の実施形態では、ワイヤレスデバイスがＣＳＩ−ＲＳポートを測定するために使用すべきＰＲＢのサブセットの表示は、ワイヤレスデバイスがＣＳＩ−ＲＳを測定すべき連続的ＣＳＩ−ＲＳサブフレーム／スロットの数をさらに含む。
【００９３】
この方法は、送信されたＣＳＩ−ＲＳのうちの１つまたは複数のＣＳＩ−ＲＳの測定値に基づいて決定されたチャネル状態情報（ＣＳＩ）をワイヤレスデバイスから受信することをさらに含み得る。
【００９４】
いくつかの実施形態によれば、ワイヤレスデバイス内で使用するための、ＣＳＩ−ＲＳを受信する方法は、ワイヤレスデバイスがＣＳＩ−ＲＳを測定するために使用すべきＰＲＢのサブセットの表示を受信することを含む。ＣＳＩ−ＲＳの各々は、アンテナポートに関連付けられる。ＰＲＢのサブセットはシステム帯域幅のサブセットを含む。この方法は、ＰＲＢの表示されたサブセット上でＣＳＩ−ＲＳを受信することをさらに含む。この方法は、受信されたＣＳＩ−ＲＳに基づいてＣＳＩを決定することと、ＣＳＩをネットワークノードに送信することとをさらに含み得る。
【００９５】
特定の実施形態では、ネットワークノードは、総数の（たとえば、１６個を超える）アンテナポート上でＣＳＩ−ＲＳを送信し、ＰＲＢのサブセットの各ＰＲＢは、総数のアンテナポートに対するＣＳＩ−ＲＳマッピングを含む。
【００９６】
特定の実施形態では、ワイヤレスデバイスがＣＳＩ−ＲＳを測定するために使用すべきＰＲＢのサブセットは、偶数のＰＲＢまたは奇数のＰＲＢを含む。ワイヤレスデバイスがＣＳＩ−ＲＳポートを測定するために使用すべきＰＲＢのサブセットの表示は、密度値およびコームオフセットを備え得る。
【００９７】
たとえば、密度値は、１／２の密度を含み得る。第１のコームオフセットは、ワイヤレスデバイスが、ＣＳＩ−ＲＳを測定するために、セットｍ１内の、より正確には、セットｍ１によって識別された、ＰＲＢを使用すべきであることを表示し、セットｍ１は、
0006987788.tif 000033
を含む。第２のコームオフセットは、ワイヤレスデバイスが、ＣＳＩ−ＲＳを測定するために、セットｍ２内の、より正確には、セットｍ２によって識別された、ＰＲＢを使用すべき出ることを表示し、セットｍ２は、
0006987788.tif 000034
を含む。
【００９８】
別の例として、密度値は、１／３の密度を含み得る。第１のコームオフセットは、ワイヤレスデバイスが、ＣＳＩ−ＲＳを測定するために、セットｍ１内の、より正確には、セットｍ１によって識別された、ＰＲＢを使用すべきであることを表示し、セットｍ１は、
0006987788.tif 000035
を含む。第２のコームオフセットは、ワイヤレスデバイスが、ＣＳＩ−ＲＳを測定するために、セットｍ２内の、より正確には、セットｍ２によって識別された、ＰＲＢを使用すべきであることを表示し、セットｍ２は、
0006987788.tif 000036
を含む。第３のコームオフセットは、ワイヤレスデバイスが、ＣＳＩ−ＲＳを測定するために、セットｍ３内の、より正確には、セットｍ３によって識別される、ＰＲＢを使用すべきであることを表示し、セットｍ３は、
0006987788.tif 000037
を含む。
【００９９】
ワイヤレスデバイスがＣＳＩ−ＲＳポートを測定するために使用すべきＰＲＢのサブセットの表示は、インデックス値ｋを含み得る。インデックス値ｋは、ワイヤレスデバイスにおいて記憶された複数の表示のうちの１つを指す。
【０１００】
特定の実施形態では、ワイヤレスデバイスがＣＳＩ−ＲＳポートを測定するために使用すべきＰＲＢのサブセットの表示は、ワイヤレスデバイスがＣＳＩ−ＲＳを測定すべき連続的ＣＳＩ−ＲＳサブフレーム／スロットの数をさらに含む。
【０１０１】
特定の実施形態では、この方法は、その数の連続的ＣＳＩ−ＲＳサブフレーム／スロットを介して受信されたＣＳＩ−ＲＳに基づいてＣＳＩを決定することをさらに含む。
【０１０２】
いくつかの実施形態によれば、ＣＳＩ−ＲＳを送信するように動作可能なネットワークノードは、処理回路を備える。処理回路は、ワイヤレスデバイスがＣＳＩ−ＲＳを測定するために使用すべきＰＲＢのサブセットの表示をワイヤレスデバイスに送信するように動作可能である。各ＣＳＩ−ＲＳはアンテナポートに関連付けられる。ＰＲＢのサブセットはシステム帯域幅のサブセットを含む。処理回路は、ＰＲＢの表示されたサブセット上でＣＳＩ−ＲＳを送信するようにさらに動作可能である。
【０１０３】
処理回路は、表示を送信するのに先立って、ワイヤレスデバイスがＣＳＩ−ＲＳを測定するために使用すべき物理リソースブロック（ＰＲＢ）のサブセットの表示を取得するようにさらに動作可能であり得る。
【０１０４】
いくつかの実施形態によれば、ＣＳＩ−ＲＳを受信するように動作可能なワイヤレスデバイスは、処理回路を備える。処理回路は、ワイヤレスデバイスがＣＳＩ−ＲＳを測定するために使用すべきＰＲＢのサブセットの表示を受信するように動作可能である。各ＣＳＩ−ＲＳはアンテナポートに関連付けられる。ＰＲＢのサブセットはシステム帯域幅のサブセットを含む。処理回路は、ＰＲＢの表示されたサブセット上でＣＳＩ−ＲＳを受信するようにさらに動作可能である。
【０１０５】
いくつかの実施形態によれば、ＣＳＩ−ＲＳを送信するように動作可能なネットワークノードは、送信モジュールを備える。ネットワークノードは、取得モジュールをさらに備え得る。取得モジュールは、ワイヤレスデバイスがＣＳＩ−ＲＳを測定するために使用すべきＰＲＢのサブセットの表示を取得するように動作可能である。送信モジュールは、ワイヤレスデバイスがＣＳＩ−ＲＳを測定するために使用すべきＰＲＢのサブセットの表示をワイヤレスデバイスに送信し、ＰＲＢの表示されたサブセット上でＣＳＩ−ＲＳを送信するように動作可能である。
【０１０６】
いくつかの実施形態によれば、ＣＳＩ−ＲＳを受信するように動作可能なワイヤレスデバイスは、受信モジュールを備える。受信モジュールは、ワイヤレスデバイスがＣＳＩ−ＲＳを測定するために使用すべきＰＲＢのサブセットの表示を受信し、ＰＲＢの表示されたサブセット上でＣＳＩ−ＲＳを受信するように動作可能である。
【０１０７】
やはり開示されるのは、コンピュータプログラム製品である。コンピュータプログラム製品は、非一時的コンピュータ可読媒体上に記憶された命令を備え、命令は、プロセッサによって実行されるとき、ワイヤレスデバイスがＣＳＩ−ＲＳを測定するために使用すべきＰＲＢのサブセットの表示をワイヤレスデバイスに送信し、ＰＲＢの表示されたサブセット上でＣＳＩ−ＲＳを送信する行為を実行する。コンピュータプログラム製品は、非一時的コンピュータ可読媒体上に記憶された命令をさらに備えることができ、命令は、プロセッサによって実行されるとき、ワイヤレスデバイスがＣＳＩ−ＲＳを測定するために使用すべきＰＲＢのサブセットの表示を取得する行為を実行する。
【０１０８】
もう１つのコンピュータプログラム製品は、非一時的コンピュータ可読媒体上に記憶された命令を備え、命令は、プロセッサによって実行されるとき、ワイヤレスデバイスがＣＳＩ−ＲＳを測定するために使用すべきＰＲＢのサブセットの表示を受信し、ＰＲＢの表示されたサブセット上でＣＳＩ−ＲＳを受信する行為を実行する。
【０１０９】
特定の実施形態は、以下の技術的利点のうちのいくつかを示し得る。一例として、いくつかの実施形態は、ポートマッピングに対する効率的かつフレキシブルなＲＥ方式を使用することによって、周波数領域技法で測定制約を可能にし得る。別の例として、いくつかの実施形態は、異なるＣＳＩ−ＲＳポートが周波数領域内で異なるＣＳＩ−ＲＳ密度を有することを可能にし得る。さらに別の例として、いくつかの実施形態は、より多数のポート（たとえば、３２個のポート）を用いてＣＳＩ−ＲＳ送信のためのより高い再使用率を可能にし得る。他の技術的利点は、以下の図面、説明、および特許請求の範囲から当業者に容易に明らかになるであろう。
【０１１０】
実施形態ならびにそれらの特徴および利点のより完全な理解のために、添付の図面とともに、次に以下の詳細な説明について説明する。
【図面の簡単な説明】
【０１１１】
【図１】ある例示的なダウンリンク無線サブフレームを示す図である。
【図２】ある例示的な無線フレームを示す図である。
【図３】ある例示的なダウンリンクサブフレームを示す図である。
【図４】ＬＴＥにおけるプリコード空間多重化モードの論理構造を示すブロック図である。
【図５】２個、４個、および８個のアンテナポートに対するＣＳＩ−ＲＳに関する潜在的な位置を示すリソースブロック対を備えたリソースエレメントグリッドを示す図である。
【図６Ａ】１２個のアンテナポートに対するＣＳＩ−ＲＳに関する潜在的な位置を示すリソースブロック対を備えたリソースエレメントグリッドを示す図である。
【図６Ｂ】１６個のアンテナポートに対するＣＳＩ−ＲＳに関する潜在的な位置を示すリソースブロック対を備えたリソースエレメントグリッドを示す図である。
【図７】ＯＣＣ長２を有する１２個のポートに対するある例示的なＮＺＰ  ＣＳＩ−ＲＳ設計を備えたリソースエレメントグリッドを示す図である。
【図８】ＯＣＣ長２を有する１６個のポートに対するある例示的なＮＺＰ  ＣＳＩ−ＲＳ設計を備えたリソースエレメントグリッドを示す図である。
【図９】ＯＣＣ長４を有する１２個のポートに対するある例示的なＮＺＰ  ＣＳＩ−ＲＳ設計を備えたリソースエレメントグリッドを示す図である。
【図１０】ＯＣＣ長４を有する１６個のポートに対するある例示的なＮＺＰ  ＣＳＩ−ＲＳ設計を備えたリソースエレメントグリッドを示す図である。
【図１１】ＣＳＩ−ＲＳに関する再使用率Ｋ＝３のある例を示す図である。
【図１２】いくつかの実施形態による、ある例示的なワイヤレスネットワークを示すブロック図である。
【図１３】いくつかの実施形態による、すべてのポートがＰＲＢの１つの制約されたセット上で送信されるＣＳＩ−ＲＳ送信のある例を示す図である。
【図１４】いくつかの実施形態による、ポートの１個のセットがＰＲＢの１つの制約されたセット上で送信され、ポートのもう１個のセットがＰＲＢのもう１つの制約されたセット上で送信される、ＣＳＩ−ＲＳ送信のある例を示す図である。
【図１５】いくつかの実施形態による、ポートの１個のセットがすべてのＰＲＢ上で送信され、ポートのもう１個のセットがＰＲＢの制約されたセット上で送信される、ＣＳＩ−ＲＳ送信の一例を示す図である。
【図１６】いくつかの実施形態による、複数のＺＰ  ＣＳＩ−ＲＳサブフレームを設定するある例を示す図である。
【図１７】いくつかの実施形態による、チャネル状態情報参照信号（ＣＳＩ−ＲＳ）を送信するネットワークノード内のある例示的な方法を示す流れ図である。
【図１８】いくつかの実施形態による、チャネル状態情報参照信号（ＣＳＩ−ＲＳ）を受信するワイヤレスデバイス内のある例示的な方法を示す流れ図である。
【図１９Ａ】ワイヤレスデバイスのある例示的な実施形態を示すブロック図である。
【図１９Ｂ】ワイヤレスデバイスの例示的な構成要素を示すブロック図である。
【図２０Ａ】ネットワークノードのある例示的な実施形態を示すブロック図である。
【図２０Ｂ】ネットワークノードの例示的な構成要素を示すブロック図である。
【図２１Ａ】ＴＤＭ方式に関するオーバヘッドの例を示す図である。
【図２１Ｂ】ＴＤＭ方式に関するオーバヘッドの例を示す図である。
【発明を実施するための形態】
【０１１２】
第３世代パートナーシッププロジェクト（３ＧＰＰ）ロングタームエボリューション（ＬＴＥ）は、チャネル状態情報（ＣＳＩ）フィードバック測定を設定するためのフレキシブルな手段として、非ゼロ電力チャネル状態情報参照シンボル（ＮＺＰ  ＣＳＩ−ＲＳ）を使用する。ＮＺＰ  ＣＳＩ−ＲＳを測定することによって、ユーザ機器（ＵＥ）は、無線伝搬チャネルおよびアンテナ利得を含めて、ＮＺＰ  ＣＳＩ−ＲＳがトラバースしている効果的なチャネルを推定することができる。
【０１１３】
ＬＴＥ  Ｒｅｌ−１４では、ダウンリンク内で最高で３２個のアンテナポートがサポートされ得る。しかしながら、ＣＳＩ−ＲＳサブフレーム内の物理リソースブロック（ＰＲＢ）ごとに最大で４０個のＣＳＩ−ＲＳリソースエレメント（ＲＥ）が利用可能である。したがって、ＣＳＩ−ＲＳサブフレームごとに１個の３２ポートＣＳＩ−ＲＳ設定のみがサポートされ得る。特定の実施形態は、上記で説明した問題を除去し、ＣＳＩ−ＲＳオーバヘッドを低減して、３２個のポートを備えた、より多数のＣＳＩ−ＲＳ設定を円滑にすることができる。
【０１１４】
いくつかの実施形態では、周波数領域内の測定制約のためにポートマッピングに対するリソースエレメントを確立するための方法が説明される。ある例示的な実施形態によれば、ｅＮＢがＰＲＢのサブセットに対するすべてのポートを測定するようにＵＥを半静的に設定する場合のポートマッピング方式が説明される。測定制約セットがどのようにシグナリングされ得るかに関する様々な代替案が説明される。別の例示的な実施形態によれば、ＵＥが、ＰＲＢの１個のセットに対するＣＳＩ−ＲＳポートのサブセット上およびＰＲＢの異なるセットに対するアンテナポートの別のサブセット上のチャネルを測定するように半静的に設定される場合のポートマッピング方式が提案される。特定のアンテナポートが測定制約セットおよび／またはＣＳＩ−ＲＳリソースセットにどのように割り当てられるかに関する様々な代替案が説明される。いくつかの実施形態では、ポートマッピングに対するＲＥが、設定可能な方法でＲＲＣ設定されたＭＲ＿ｓｅｔおよび／またはＣＳＩ−ＲＳリリースセットパラメータを使用してどのように実行され得るかに関する解決策が説明される。
【０１１５】
いくつかの実施形態では、ネットワークは、サブフレームのスロット内の第１のＰＲＢがＣＳＩ−ＲＳポート送信を含み、サブフレームのスロット内の第２のＰＲＢがＣＳＩ−ＲＳポート送信を含まないとＵＥが仮定し得るかどうかをＵＲに表示し、ＣＳＩ−ＲＳポートは非負整数によって識別される。場合によっては、第１のＰＲＢは、インデックスｍ１＝Ｎｋで識別され得、第２のＰＲＢは、ｍ２＝Ｎｋ＋ｎによって識別され得、式中、ｎ∈｛１、２、．．．、Ｎ−１｝であり、ｋは非負整数である。場合によっては、第１のＰＲＢは、セットＭ内にあるインデックスｍ１で識別され得、第２のＰＲＢは、セットＭ内にないインデックスｍ２で識別され得、ネットワークはセットＭをＵＥにシグナリングする。
【０１１６】
本明細書で論じられるＰＲＢの様々な代替サブセット内に含まれるＰＲＢは、したがって、それらのそれぞれのＰＲＢインデックスによって識別され得、ＰＲＢのサブセットを定義するためにそのようなＰＲＢインデックスのセットが使用され得る。ＰＲＢのサブセットは、ワイヤレスネットワークのシステム帯域幅、たとえば、ＬＴＥシステム帯域幅またはＮＲシステム帯域幅にわたるＰＲＢのセットと比較してより小さなセットである。ＰＲＢのサブセットは、システム帯域幅にわたるＰＲＢのセット内にやはり含まれるＰＲＢを含み得る。本明細書で使用されるＰＲＢは、時として、（インデックスのセットｍ１、ｍ２、またはｍ３など）インデックスのセット内に含まれるとされる場合があり、厳密にいえば、ＰＲＢを識別するＰＲＢインデックスはインデックスのセット内に含まれる。この表現は、簡単のために単に使用され、限定することを意図しない。
【０１１７】
いくつかの実施形態では、複数のＺＰ  ＣＳＩ−ＲＳサブフレーム設定を確立するための方法が説明される。ある例示的な実施形態によれば、より高い再使用率を可能にするように複数のＺＰ  ＣＳＩ−ＲＳサブフレーム設定を設定する解決策が説明される。以下でより詳細に説明されるように、場合によっては、ＵＥを対象としないＮＺＰ  ＣＳＩ−ＲＳに対する干渉を回避する方法は、ネットワークが１個のＮＺＰ  ＣＳＩ−ＲＳリソースでＵＥを設定することを含み、第１および第２のゼロ電力（ＺＰ）ＣＳＩ−ＲＳリソースが第１および第２のサブフレーム内で生じ、第１および第２のＺＰ  ＣＳＩ−ＲＳリソースのうちの少なくとも１つはＰ個のサブフレームの周期性を有し、第１および第２のサブフレームは周期Ｐ内で別個である。場合によっては、ＵＥを対象としないＮＺＰ  ＣＳＩ−ＲＳに対する干渉を回避する方法は、ネットワークが１個のＮＺＰ  ＣＳＩ−ＲＳ、ならびに第１および第２のゼロ電力ＣＳＩ−ＲＳを受信するようにＵＥを設定することを含む。第１のゼロ電力ＣＳＩ−ＲＳは第１のサブフレーム内で生じ、第２のゼロ電力ＣＳＩ−ＲＳは第２のサブフレーム内で生じる。
【０１１８】
本明細書で説明する様々な実施形態は、１つまたは複数の技術的利点を有し得る。一例として、いくつかの実施形態は、ポートマッピングに対する効率的／フレキシブルなＲＥ方式を提案することによって、周波数領域技法で測定制約を可能にし得る。もう１つの例として、いくつかの実施形態は、より多数のポート（たとえば、３２個のポート）を用いたＣＳＩ−ＲＳ送信に対してより高い再使用率を可能にし得る。
【０１１９】
以下の説明は、多数の特定の詳細を記載する。しかしながら、実施形態は、これらの特定の詳細なしに実践され得ることが理解される。他の場合には、この説明の理解を不明瞭にしないように、よく知られている回路、構造、および技法は詳細に示されていない。当業者は、含まれる説明を用いて、不要な実験なしに、適切な機能を実装することが可能になる。
【０１２０】
明細書における「一実施形態」、「ある実施形態」、「ある例示的な実施形態」などの参照は、説明する実施形態は特定の特徴、構造、または特性を含み得るが、すべての実施形態は、必ずしも特定の特徴、構造、または特性を含むとは限らないことを示す。その上、そのような表現は、必ずしも同じ実施形態を指すとは限らない。さらに、特定の特徴、構造、または特性がある実施形態に関して説明されるとき、明示的に説明されるか否かにかかわらず、他の実施形態に関して、そのような特徴、構造、または特性を実装することは当業者の知識内であると考えられる。
【０１２１】
本明細書において特定の実施形態を説明するために３ＧＰＰ  ＬＴＥからの専門用語が使用されるが、実施形態は、前述のシステムのみに限定されない。ニューラジオ（ＮＲ）、広帯域符号分割多元接続（ＷＣＤＭＡ）、ワールドワイドインターオペラビリティフォーマイクロウェーブアクセス（ＷｉＭａｘ）、ウルトラモバイルブロードバンド（ＵＭＢ）、および広帯域移動通信システム（ＧＳＭ）などを含めて、他のワイヤレスシステムも本明細書で説明する実施形態から利益を得ることができる。
【０１２２】
ｅＮｏｄｅＢおよびＵＥなどの専門用語は、非限定的と見なすべきであり、２つの間の特定の階層関係を暗示しない。ＮＲでは、ｅＮｏｄｅＢに対応するノードは、ｇＮｏｄｅＢと呼ばれる。一般に、「ｅＮｏｄｅＢ」は第１のデバイスと見なされ、「ＵＥ」は第２のデバイスと見なされ得る。２個のデバイスは、無線チャネルを介して互いと通信する。特定の実施形態はダウンリンク内の無線送信について説明するが、他の実施形態は、アップリンク内でも等しく適用可能である。
【０１２３】
特定の実施形態は、様々な図面の同様の部分および対応する部分に関して同一番号が使用される、図面の図１２〜図２０Ｂを参照して説明される。本開示を通してＬＴＥがある例示的なセルラーシステムとして使用されるが、本明細書で提示される発想は、他のワイヤレス通信システムにも同様に適用され得る。
【０１２４】
図１２は、特定の実施形態による、ある例示的なワイヤレスネットワークを示すブロック図である。ワイヤレスネットワーク１００は、１つまたは複数のワイヤレスデバイス１１０（モバイルフォン、スマートフォン、ラップトップコンピュータ、タブレットコンピュータ、ＭＴＣデバイス、またはワイヤレス通信を提供し得る任意の他のデバイス）、および複数のネットワークノード１２０（基地局またはｅＮｏｄｅＢなど）を含む。ワイヤレスデバイス１１０は、ＵＥと呼ばれることもある。ネットワークノード１２０は、（セル１１５とも呼ばれる）カバレッジエリア１１５をサーブする。
【０１２５】
一般に、ネットワークノード１２０のカバレッジ内（たとえば、ネットワークノード１２０によってサーブされるセル１１５内）にあるワイヤレスデバイス１１０は、ワイヤレス信号１３０を送信および受信することによってネットワークノード１２０と通信する。たとえば、ワイヤレスデバイス１１０およびネットワークノード１２０は、音声トラフィック、データトラフィック、および／または制御信号を含むワイヤレス信号１３０を通信することができる。音声トラフィック、データトラフィック、および／または制御信号をワイヤレスデバイス１１０に通信するネットワークノード１２０は、ワイヤレスデバイス１１０用のサービングネットワークノード１２０と呼ばれることもある。ワイヤレスデバイス１１０とネットワークノード１２０との間の通信は、セルラー通信と呼ばれることがある。ワイヤレス信号１３０は、（ネットワークノード１２０からワイヤレスデバイス１１０への）ダウンリンク送信と（ワイヤレスデバイス１１０からネットワークノード１２０への）アップリンク送信の両方を含み得る。
【０１２６】
ネットワークノード１２０およびワイヤレスデバイス１１０は、図１〜図３に関して説明したのと同様の無線フレームおよびサブフレーム構造に従ってワイヤレス信号１３０を通信することができる。他の実施形態は、任意の適切な無線フレーム構造を含み得る。たとえば、ＮＲでは、（ＯＦＤＭシンボルなどの）時間シンボルの持続時間は、使用されるヌメロロジーによって異なる場合があり、サブフレームは、したがって、同数のシンボルを常に含むわけではない。代わりに、「スロット」の概念が使用され得、スロットは、通常、１４個のシンボルを占有するか、または、時々、７個のシンボルを占有し、したがって、ＬＴＥサブフレームに対応する。
【０１２７】
各ネットワークノード１２０は、信号１３０をワイヤレスデバイス１１０に送信するための単一の送信機１４０または複数の送信機１４０を有し得る。いくつかの実施形態では、ネットワークノード１２０は、多入力多出力（ＭＩＭＯ）システムを備え得る。同様に、各ワイヤレスデバイス１１０は、ネットワークノード１２０または他のワイヤレスデバイス１１０から信号１３０を受信するための単一の受信機または複数の受信機を有し得る。ネットワークノード１２０の複数の送信機は、論理アンテナポートに関連付けられ得る。
【０１２８】
ワイヤレス信号１３０は、ＣＳＩ−ＲＳ参照信号１３５などの参照信号を含み得る。特定の実施形態では、ワイヤレス信号１３０は、サブフレーム内に１６個より多いＣＳＩ−ＲＳ１３５を含み得る。各ＣＳＩ−ＲＳ１３５は、アンテナポートに関連付けられ得る。
【０１２９】
特定の実施形態では、ネットワークノード１２０などのネットワークノードは、いくつかのＣＳＩ−ＲＳ１３５をワイヤレスデバイス１１０などの１つまたは複数のワイヤレスデバイスに送信する。特定の実施形態では、ＣＳＩ−ＲＳポート、すなわち、ＣＳＩ−ＲＳ１３５が送信されるポートの数は１６個よりも多い。たとえば、ＣＳＩ−ＲＳポートの数は３２であってよい。
【０１３０】
特定の実施形態では、ネットワークノード１２０は、ワイヤレスデバイス１１０がＣＳＩ−ＲＳを測定するために使用すべきＰＲＢのサブセットの表示を取得することができる。ネットワークノード１２０は、ワイヤレスデバイス１１０がＣＳＩ−ＲＳを測定するために使用すべきＰＲＢのサブセットの表示をワイヤレスデバイス１１０に送信することができる。
【０１３１】
特定の実施形態では、ネットワークノード１２０は、ＰＲＢインデックス（たとえば、奇数または偶数のＰＲＢ）の表示として、密度値およびコームオフセット（たとえば、２つのコームオフセットを有する密度１／２、３つのコームオフセットを有する密度１／３など）として、またはワイヤレスデバイス１１０に知られているＰＲＢの表示またはパターンを表すインデックス値（たとえば、インデックスｋ、ここで、ｋは、ワイヤレスデバイス１１０に知られている特定のＰＲＢを識別する）として、ＰＲＢの表示をワイヤレスデバイス１１０に送信することができる。
【０１３２】
特定の実施形態では、ネットワークノード１２０は、ワイヤレスデバイスがＣＳＩ−ＲＳを測定するために使用すべき連続的サブフレームの数の表示をワイヤレスデバイス１１０に送信することができる。特定の実施形態では、ネットワークノード１２０は、送信されたＣＳＩ−ＲＳ１３５のうちの１つまたは複数に基づいてチャネル状態情報（ＣＳＩ）をワイヤレスデバイス１１０から受信することができる。
【０１３３】
いくつかの実施形態によれば、ワイヤレスデバイス１１０などのワイヤレスデバイスは、ワイヤレスデバイス１１０がＣＳＩ−ＲＳを測定するために使用すべきＰＲＢのサブセットの表示を受信する。ワイヤレスデバイス１１０は、ＰＲＢの表示されたサブセット上でＣＳＩ−ＲＳを受信する。ワイヤレスデバイス１１０は、受信されたＣＳＩ−ＲＳに基づいてチャネル状態情報（ＣＳＩ）を決定し（すなわち、効果的なチャネルを推定するために受信されたＣＳＩ−ＲＳを測定し）、ＣＳＩをネットワークノード１２０に送信することができる。
【０１３４】
ワイヤレスネットワーク１００内で、各ネットワークノード１２０は、ロングタームエボリューション（ＬＴＥ）、ＬＴＥアドバンスト、ユニバーサル移動通信システム（ＵＭＴＳ）、高速パケットアクセス（ＨＳＰＡ）、ＧＳＭ、ｃｄｍａ２０００、ＮＲ、ＷｉＭａｘ、ワイヤレスフィディリティ（ＷｉＦｉ）、および／または他の適切な無線アクセス技術など、任意の適切な無線アクセス技術を使用することができる。ワイヤレスネットワーク１００は、１つまたは複数の無線アクセス技術の任意の適切な組合せを含み得る。例示のために、いくつかの無線アクセス技術のコンテキストで様々な実施形態が説明される場合がある。しかしながら、本開示の範囲は、それらの例に限定されず、他の実施形態は異なる無線アクセス技術を使用することができる。
【０１３５】
上記で説明したように、ワイヤレスネットワークの実施形態は、１つまたは複数のワイヤレスデバイスおよびワイヤレスデバイスと通信することが可能な１つまたは複数の異なるタイプのネットワークノードまたは無線ネットワークノードを含み得る。ネットワークはまた、ワイヤレスデバイス同士の間またはワイヤレスデバイスと別の通信デバイス（陸線電話など）との間の通信をサポートするのに適した任意の追加の要素を含み得る。ワイヤレスデバイスは、ハードウェアおよび／またはソフトウェアの任意の適切な組合せを含み得る。たとえば、特定の実施形態では、ワイヤレスデバイス１１０などのワイヤレスデバイスは、以下で図１９に関して説明する構成要素を含み得る。同様に、ネットワークノードは、ハードウェアおよび／またはソフトウェアの任意の適切な組合せを含み得る。たとえば、特定の実施形態では、ネットワークノード１２０などのネットワークノードは、以下で図２０に関して説明する構成要素を含み得る。
【０１３６】
例示的な実施形態の第１のグループによれば、ｅＮＢは、ＰＲＢのサブセットに対するすべてのポートを測定するようにＵＥを半静的に設定する。すべてのポートに対応するＮＺＰ  ＣＳＩ−ＲＳは、設定されたＰＲＢ上でのみ送信される。ｅＮＢ無線リソース制御（ＲＲＣ）は、ＵＥがＣＳＩ−ＲＳポートを測定すべきすべてのＰＲＢを含む周波数領域測定制約パラメータＭＲ＿ＳｅｔでＵＥを設定する。この実施形態の一例が図１３に示されている。
【０１３７】
図１３は、いくつかの実施形態による、すべてのポートがＰＲＢの制約されたセット上で送信されるＣＳＩ−ＲＳ送信のある例を示す。示される例では、上記で説明したネットワーク１００のシステム帯域幅などのシステム帯域幅は、
0006987788.tif 000038
個のＰＲＢ１６を備える。ＰＲＢ１６ａは、ＮＺＰ  ＣＳＩ−ＲＳ送信を有さないＰＲＢを表す。ＰＲＢ１６ｂは、ＮＺＰ  ＣＳＩ−ＲＳ送信を有するＣＳＩ測定のためのＰＲＢを表す。
【０１３８】
パラメータＭＲ＿Ｓｅｔは、ＰＲＢ
0006987788.tif 000039
（すなわち、
0006987788.tif 000040
）を含む。上記の式４および式７におけるポートマッピングに対するＲＥ方式内のＰＲＢインデックスｍは、以下のように修正される。
ｍ∈ＭＲ＿Ｓｅｔ  式９
【０１３９】
別の言い方をすれば、式９は、ワイヤレスデバイス１１０などのＵＥが、すべてのＮＺＰ  ＣＳＩ−ＲＳポートに対応するＮＺＰ  ＣＳＩ−ＲＳがセットＭＲ＿Ｓｅｔによって表示されたＰＲＢ内で送信されるが、必ずしも他のＰＲＢ内では送信されないと仮定し得ることを、ＵＥに表示する。したがって、ＵＥは、表示されたＰＲＢ内のポートに対応するチャネルを測定すべきである。ＮＺＰ  ＣＳＩ−ＲＳはＰＲＢの設定可能なサブセット内でＵＥに送信され得るため、ＣＳＩ−ＲＳに関連するオーバヘッドは、異なる展開シナリオおよび負荷条件に対して設定可能な方法で有利に低減され得る。
【０１４０】
いくつかの実施形態では、ＲＲＣパラメータＭＲ＿Ｓｅｔは、長さ
0006987788.tif 000041
のビットマップとしてシグナリングされ得、第ｍ番目のビットは、ＮＺＰ  ＣＳＩ−ＲＳが第ｍ番目のＰＲＢ上で送信されるか否かを表示する。いくつかの実施形態では、ＵＥは、ＮＺＰ  ＣＳＩ−ＲＳが送信されるときはいつでも、ＭＲ＿Ｓｅｔの値を使用するように設定される。
【０１４１】
いくつかの実施形態では、ＰＲＢインデックスのセットは、どのＰＲＢが少なくとも１個のＮＺＰ  ＣＳＩ−ＲＳを含むかを識別する整数である。特定の実施形態では、整数は各々、３ＧＰＰ  ＴＳ３６．２１１のセクション６．２．３で定義されるような、物理リソースブロック番号ｎＰＲＢを含む。
【０１４２】
図１３に示された例では、ＣＳＩ測定に関するＰＲＢは偶数のＰＲＢを含み、ＮＺＰ  ＣＳＩ−ＲＳ送信を有さないＰＲＢは、奇数のＰＲＢを含む。いくつかの実施形態では、ＲＲＣパラメータＭＲ＿Ｓｅｔは、奇数または偶数を表示する値としてシグナリングされ得る。密度およびコームオフセットの組合せによって、同じパターンが表示され得る。たとえば、示された例は、１／２の密度を含む（すなわち、ＰＲＢの半分がＣＳＩ−ＲＳを含み、半分はＣＳＩ−ＲＳを含まない）。第１のコームオフセットは、偶数のＰＲＢがＣＳＩ−ＲＳを含み、奇数のＰＲＢはＣＳＩ−ＲＳを含まないことを表示し得る。第２のコームオフセットは、奇数のＰＲＢがＣＳＩ−ＲＳを含み、偶数のＰＲＢはＣＳＩ−ＲＳを含まないことを表示し得る。示された例は、単なる一例である。他の実施形態は、他の密度およびコームオフセット（たとえば、３つのコームオフセットを有する密度１／３）を使用することができる。
【０１４３】
いくつかの実施形態では、ＵＥは、連続的ＣＳＩ−ＲＳサブフレーム（すなわち、ＣＳＩ−ＲＳを含むサブフレーム）を調べることによって、帯域全体、またはその一部分にわたってチャネル推定を構築することができ、ここで、異なるＭＲ＿Ｓｅｔが連続的サブフレームにわたって適用される。これは、特に、移動度の低いＵＥの場合に有用であり得る。ｅＮＢは、いくつの連続的サブフレームに対してＵＥがＣＳＩ−ＲＳを測定すべきかをシグナリングすることができる。
【０１４４】
いくつかの実施形態では、周波数領域内の固定数の測定制約（ＭＲ）パターンが事前定義され得る。たとえば、周波数領域内の第１の測定制約パターンは、１つおきでＰＲＢ内にＮＺＰ  ＣＳＩ−ＲＳを含んでよく、周波数領域内の第２の測定制約パターンは、３つおきでＰＲＢ内にＮＺＰ  ＣＳＩ−ＲＳを含んでよく、周波数領域内の第３の測定制約パターンは、すべてのＰＲＢ内にＮＺＰ  ＣＳＩ−ＲＳを含んでよい。これは、周波数領域内のＫ個の異なる事前定義された測定制約パターンに一般化され得る。ｅＮＢは、周波数領域内のＫ個の事前定義された測定制約パターンのうちの１つを使用するようにＵＲを半静的に設定することができる。たとえば、周波数領域内の第ｋ番目の測定制約パターンが特定のＵＥに対して設定される場合、ｅＮＢは、値ｋを有する整数パラメータをＵＥに対して半静的にシグナリングすることができる。
【０１４５】
例示的な実施形態の第２のグループによれば、ＵＥは、ＰＲＢの１個のセットに対するＣＳＩ−ＲＳポートの１つのサブセット上、およびＰＲＢの異なるセットに対するアンテナポートのもう１つのサブセット上のチャネルを測定するように半静的に設定される。ｅＮＢ  ＲＲＣは、ＣＳＩ−ＲＳリソースセットＣＳＩ−ＲＳ＿Ｒｅｓｏｕｒｃｅ＿Ｓｅｔ１内のポートの第１のセットに適用される周波数領域測定制約パラメータＭＲ＿Ｓｅｔ１の第１のセットでＵＥを設定する。同様に、ｅＮＢ  ＲＲＣは、ＣＳＩ−ＲＳリソースセットＣＳＩ−ＲＳ＿Ｒｅｓｏｕｒｃｅ＿Ｓｅｔ２内のポートの第２のセットに適用される周波数領域測定制約パラメータＭＲ＿Ｓｅｔ２の第２のセットでＵＥを設定する。
【０１４６】
ＣＳＩ−ＲＳ＿Ｒｅｓｏｕｒｃｅ＿Ｓｅｔ１およびＣＳＩ−ＲＳ＿Ｒｅｓｏｕｒｃｅ＿Ｓｅｔ２内に表示されるリソースは、上位層によって表示されたパラメータ「ｎｚｐ−ｒｅｓｏｕｒｃｅＣｏｎｉｇＬｉｓｔ」内のリソースの中から選定される（３ＧＰＰ  ＴＳ３６．３３１を参照されたい）。ＲＲＣパラメータＭＲ＿Ｓｅｔ１およびＭＲ＿Ｓｅｔ２は各々、その中でそれぞれのセットに対応するＮＺＰ  ＣＳＩ−ＲＳが送信されるＰＲＢのリストを含む。３２個のＣＳＩ−ＲＳポートを備えたこの実施形態のある例が図１４に示されている。
【０１４７】
図１４は、いくつかの実施形態による、ポートの１個のセットがＰＲＢの１つの制約されたセット上で送信され、ポートのもう１個のセットがＰＲＢのもう１つの制約されたセット上で送信される、ＣＳＩ−ＲＳ送信のある例を示す。図１４に示されるリソースエレメントグリッドは、２個のＰＲＢ１６を備えるサブフレーム１０の一部分を含む。
【０１４８】
ＣＳＩ−ＲＳポート１５〜３０は偶数のＰＲＢ１６内で送信され、ＣＳＩ−ＲＳポート３１〜４６は奇数のＰＲＢ１６内で送信される。ポート１５〜３０に対応するＭＲ＿Ｓｅｔ１パラメータは、ＰＲＢ０、２、４、６、．．．を含み（すなわち、ＭＲ＿Ｓｅｔ１＝｛０、２、４、６、．．．｝）、ポート３１〜４６に対応するＭＲ＿Ｓｅｔ２パラメータは、ＰＲＢ１、３、５、７、．．．を含む（すなわち、ＭＲ＿Ｓｅｔ２＝｛１、３、５、７、．．．｝）。方５および方８のレガシーＣＳＩリソース番号ｉ’に関する数量ｉ’’は次のように定義される：
ｉ’’＝２ｑ’＋ｉ’  式１０
【０１４９】
式１０では、ｑ’∈｛０、１｝であり、式中、ｑ’＝０は第１のＣＳＩ−ＲＳ＿Ｒｅｓｏｕｒｃｅ＿Ｓｅｔ１に対応し、ｑ’＝１は第２のＣＳＩ−ＲＳ＿Ｒｅｓｏｕｒｃｅ＿Ｓｅｔ２に対応する。図１４の例では、スロット０内のＯＦＤＭシンボル５〜６内のＣＳＩ−ＲＳ  ＲＥは、（レガシーリソース数ｉ’＝０に対応する）ある８ポートレガシーリソースに属し、スロット１内のＯＦＤＭシンボル５〜６内のＣＳＩ−ＲＳ  ＲＥは、（レガシーリソース数ｉ’＝１に対応する）もう１つの別の８ポートレガシーリソースに属する。
【０１５０】
数量ｉ’’は、ＣＳＩ−ＲＳ＿Ｒｅｓｏｕｒｃｅ＿Ｓｅｔ１およびＣＳＩ−ＲＳ＿Ｒｅｓｏｕｒｃｅ＿Ｓｅｔ２内のリソースに関する新しいＣＳＩリソース数として使用され得る。ＣＳＩ−ＲＳ＿Ｒｅｓｏｕｒｃｅ＿Ｓｅｔ１（ここで、ｑ’＝０）の場合、新しいＣＳＩ参照番号はｉ’’∈｛０、１｝であり、ＣＳＩ−ＲＳ＿Ｒｅｓｏｕｒｃｅ＿Ｓｅｔ２（ここで、ｑ’＝１）の場合、新しいＣＳＩ参照番号はｉ’’∈｛２、３｝である。したがって、式１０を使用して、図１４の例における、レガシーＣＳＩリソース番号ｉ’∈｛０、１｝を有する２個のレガシー８ポートリソースは、新しいＣＳＩ参照暗号ｉ’’∈｛０、１、２、３｝を有する４個の新しい８ポートリソースに分割される。
【０１５１】
上位層パラメータ「ｃｄｍＴｙｐｅ」が、８個より多いアンテナポートを使用するＣＳＩ−ＲＳに関してｃｄｍ２にセットされるとき、ポートの番号付けは、新しいＣＳＩ参照番号を使用して以下のように与えられ得る：
0006987788.tif 000042
上位層パラメータ「ｃｄｍＴｙｐｅ」が８個より多いアンテナポートを使用するＣＳＩ−ＲＳに対してｃｄｍ４にセットされるとき、アンテナポート番号は、新しいＣＳＩ参照番号を使用して以下のように与えられ得る：
0006987788.tif 000043
たとえば、図１４の例では、ＣＳＩ−ＲＳポート１５〜２２を備えた新しいリソースは、ｉ’’＝０に対応し、ＣＳＩ−ＲＳポート２３〜３０を備えた新しいリソースはｉ’’＝１に対応し、ＣＳＩ−ＲＳポート３１〜３８を備えた新しいリソースは、ｉ’’＝２に対応し、ＣＳＩ−ＲＳポート３９〜４６を備えた新しいリソースは、ｉ’’＝３に対応する。前に説明したように、ＭＲ＿Ｓｅｔ１は、（ｉ’’∈｛０、１｝に対応する）ＣＳＩ−ＲＳ＿Ｒｅｓｏｕｒｃｅ＿Ｓｅｔ１に適用され、ＭＲ＿Ｓｅｔ２は、（ｉ’’∈｛２、３｝に対応する）ＣＳＩ−ＲＳ＿Ｒｅｓｏｕｒｃｅ＿Ｓｅｔ２に適用される。
【０１５２】
この実施形態に関して、ポートマッピングに対するＲＥ公式を定義するために、式４および式７のＰＲＢインデックスｍは、以下のように修正される：
0006987788.tif 000044
式中、新しいＣＳＩ−ＲＳリソース番号ｉ’’は上記の式１０にあるように定義される。
【０１５３】
いくつかの実施形態では、第１の周波数領域測定セットＭＲ＿Ｓｅｔ１内のＰＲＢは、第２の周波数領域測定セットＭＲ＿Ｓｅｔ２内のＰＲＢと部分的に重複し得る。たとえば、ＭＲ＿Ｓｅｔ１は、ＰＲＢ｛０、２、４、６、７、８、９、１０、１１｝を含み、ＭＲ＿Ｓｅｔ２は、ＰＲＢ｛７、８、９、１０、１１、１３、１５、１７｝を含み、ＰＲＢ｛７、８、９、１０、１１｝は２個のセットに対して共通である。
【０１５４】
さらに別の実施形態では、ＭＲ＿Ｓｅｔ１は、システム帯域幅内のすべてのＰＲＢを含むことができ、ＣＳＩ−ＲＳリソースセットＣＳＩ−ＲＳ＿Ｒｅｓｏｕｒｃｅ＿Ｓｅｔ１内のポートの第１のセットに適用され得る。第２の測定制約ＭＲ＿Ｓｅｔ２は、ＰＲＢのサブセットを含むことができ、ＣＳＩ−ＲＳリソースセットＣＳＩ−ＲＳ＿Ｒｅｓｏｕｒｃｅ＿Ｓｅｔ２内のポートの第２のセットに適用され得る。ある例が図１５に示されている。
【０１５５】
図１５は、いくつかの実施形態による、ポートの１個のセットがすべてのＰＲＢ上で送信され、ポートのもう１個のセットがＰＲＢの制約されたセット上で送信される、ＣＳＩ−ＲＳ送信のある例を示す。図１５に示されたリソースエレメントグリッドは、２個のＰＲＢ１６を備えたサブフレーム１０の一部分を含む。ＣＳＩ−ＲＳポート１５〜２２は、両方のＰＲＢ１６内で送信されるが、ＣＳＩ−ＲＳポート２３〜３８は、偶数のＰＲＢ１６内で送信される。
【０１５６】
いくつかの実施形態では、ｅＮＢ  ＲＲＣは、第ｋ番目のＣＳＩ−ＲＳリソースセットＣＳＩ−ＲＳ＿Ｒｅｓｏｕｒｃｅ＿Ｓｅｔｋ内のポートの第ｋ番目のセットに適用されるｋ∈｛０、１、．．．、Ｋ−１｝で、周波数領域測定制約パラメータＭＲ＿ＳｅｔｋのＫ個のセットでＵＥを設定する。式１０の新しいＣＳＩ−ＲＳ参照番号は以下のように修正される：
ｉ’’＝Ｋｑ’＋ｉ’  式１４
さらに、式１３のポートマッピングに対するＲＥ公式は、以下のように修正され、ここで、第ｋ番目のＣＳＩ−ＲＳリソースセット内の新しいＣＳＩ−ＲＳリソース番号ｉ’’は、ＰＲＢインデックスｍにマッピングする：
ｍ∈ＭＲ＿Ｓｅｔｋ  ｉｆ  ｉ’’∈ＣＳＩ−ＲＳ＿Ｒｅｓｏｕｒｃｅ  ｅ＿Ｓｅｔｋ  式１５
【０１５７】
いくつかの実施形態では、ＣＳＩ−ＲＳポートセットは、ＣＳＩ−ＲＳリソースセットの代わりにＵＥに対して設定されたＲＲＣである。たとえば、ＣＳＩ−ＲＳ＿ｐｏｒｔ＿ｓｅｔ１＝｛１５〜３０｝であり、ＣＳＩ−ＲＳ＿ｐｏｒｔ＿ｓｅｔ２＝｛３１〜４６｝である場合、ＭＲ＿Ｓｅｔ１は、ポート｛１５〜３０｝に適用され、ＭＲ＿Ｓｅｔ２は、ポート｛３１〜４６｝に適用される。
【０１５８】
例示的な実施形態の第３のグループは、複数のＺＰ  ＣＳＩ−ＲＳサブフレーム設定を含む。上記の表４に示されたように、サービングセルに関するＺＰ  ＣＳＩ−ＲＳは、単一のＣＳＩ−ＲＳ−ＳｕｂｆｒａｍｅＣｏｎｆｉｇパラメータＩＣＳＩ−ＲＳでのみ設定され得る。これは、ＵＥの設定されたＺＰ  ＣＳＩ−ＲＳ期間ＴＣＳＩ−ＲＳ内に１個のサブフレーム内の１個のＺＰ  ＣＳＩ−ＲＳのみでＵＥが設定され得ることを意味する。
【０１５９】
しかしながら、ＬＴＥリリース１４ではＣＳＩ−ＲＳポートの数がますます多くなり、単一のサブフレーム内のＣＳＩ−ＲＳに対する１よりも、ＺＰ  ＣＳＩ−ＲＳを通してＳＩＮＲが改善され得る、より高い再使用率を達成することは、不可能である。これは、サブフレーム内の所与のＰＲＢが４０個の利用可能なＣＳＩ−ＲＳ  ＲＥのみを含むためである。１個のセルによってＲＥのうちの３２個がＮＺＰ  ＣＳＩ−ＲＳに対して使用される場合、１個のセルのみがサブフレーム内でＮＺＰ  ＣＳＩ−ＲＳを送信することができる。したがって、ＺＰ  ＣＳＩ−ＲＳを通してＳＩＮＲが改善される、より高い再使用率を円滑にするために、この実施形態では、ＵＥは、ＣＳＩプロセスにおける１個のＮＺＰ  ＣＳＩ−ＲＳおよびＣＳＩプロセスにおける１つのＺＰ  ＣＳＩ−ＲＳ期間内に複数のサブフレーム内で生じるＺＰ  ＣＳＩ−ＲＳで設定されたＲＲＣであり得る。これは、第１および第２のサブフレーム内で生じる第１および第２のゼロ電力ＣＳＩ−ＲＳでＵＥを設定することを含み得、第１および第２のＣＳＩ−ＲＳのうちの少なくとも１個は、Ｐ個のサブフレームの周期性を有し、第１および第２のサブフレームは期間Ｐ内で別個である。
【０１６０】
図１６は、いくつかの実施形態による、複数のＺＰ  ＣＳＩ−ＲＳサブフレームを設定するある例を示す。より具体的には、図１６は、異なるサブフレーム内で設定されたＣＳＩ−ＲＳを有する３個のセルの例を示す。
【０１６１】
各セルに関して、２個のＺＰ  ＣＳＩ−ＲＳがサブフレームおよび他の２個のセルのＣＳＩ−ＲＳが設定されるＲＥの形でやはり設定される。たとえば、セル１に関するＺＰ  ＣＳＩ−ＲＳは、サブフレームｎ＋ｉ、ｎ＋ｋ、ｎ＋ｉ＋Ｐ、およびｎ＋ｋ＋Ｐの形で設定され、これは、セル２および３のＣＳＩ−ＲＳに一致する。セル１に関する第１のＺＰ  ＣＳＩ−ＲＳは、サブフレームｎ＋ｉ、ｎ＋ｉ＋Ｐ、．．．の形で設定され、第２のＺＰ  ＣＳＩ−ＲＳは、サブフレームｎ＋ｋ、ｎ＋ｋ＋Ｐ、．．．の形で設定される。この場合、２個のＺＰ  ＣＳＩ−ＲＳの周期性は同じである。３個のセル内のＣＳＩ−ＲＳに関して異なる周期性が設定される場合、ＺＰ  ＣＳＩ−ＲＳに関してＰも異なり得る。
【０１６２】
特定の実施形態は、ＲＲＣが複数のＺＰ  ＣＳＩ−ＲＳサブフレーム設定でＵＥを設定することを含む。さらなる実施形態では、ＵＥは複数の設定対で設定されたＲＲＣであり、ここで、各対は、ＺＰ  ＣＳＩ−ＲＳサブフレーム設定に対応するＺＰ  ＣＳＩ−ＲＳリソース設定を対内に含む。これらの実施形態を通して、ネットワークは、ＺＰ  ＣＳＩ−ＲＳが他のＵＥを対象とするＮＺＰ  ＣＳＩ−ＲＳと同じＲＥを占有する複数のサブフレーム内のＺＰ  ＣＳＩ−ＲＳでＵＥを設定することができる。このようにして、ＵＥに送信するｅＮＢは、ＰＤＳＣＨまたは干渉するＮＺＰ  ＣＳＩ−ＲＳを他のＵＥを対象とするＮＺＰ  ＣＳＩ−ＲＳ内で送信する必要がなく、これは、他のＵＥを対象とするＮＺＰ  ＣＳＩ−ＲＳとの干渉を回避する。これは、隣接するセルのＮＺＰ  ＣＳＩ−ＲＳへの干渉を回避しながら、複数のサービングセルが多数のポート（すなわち、３２個のポート）を用いてＮＺＰ  ＣＳＩ−ＲＳを送信することを円滑にする。
【０１６３】
図１２〜図１６に関して説明した例は、一般に、（ネットワークノードに関する）図１７および（ワイヤレスデバイスに関する）図１８においてフローチャートによって表すことができる。
【０１６４】
図１７は、いくつかの実施形態による、ネットワークノードにおいて、ＣＳＩ−ＲＳを送信する例示的な方法を示す流れ図である。特定の実施形態では、図１７の１つまたは複数のステップは、図１２に関して説明しワイヤレスネットワーク１００のネットワークノード１２０によって実行され得る。
【０１６５】
この方法は、ネットワークノードが、ワイヤレスデバイスがＣＳＩ−ＲＳを測定するために使用すべきＰＲＢのサブセットの表示を取得することができるステップ１７１２で開始する。たとえば、ネットワークノード１２０は、ワイヤレスデバイス１１０がＣＳＩ−ＲＳを測定するために使用することができるＰＲＢのサブセットの表示を取得することができる。
【０１６６】
表示を取得することは、事前決定された表示をメモリから取り出すこと、ネットワーク１００の別の構成要素からシグナリングを受信すること、または任意の他の適切な設定を含み得る。特定の表示は、展開シナリオおよび負荷条件などの要因に基づいて決定され得る。
【０１６７】
ステップ１７１４において、ネットワークノードは、ワイヤレスデバイスがＣＳＩ−ＲＳを測定するために使用すべきＰＲＢのサブセットの表示をワイヤレスデバイスに送信する。たとえば、ネットワークノード１２０は、ワイヤレスデバイス１１０がＣＳＩ−ＲＳを測定するために使用すべきＰＲＢのサブセットの表示をワイヤレスデバイス１１０に送信することができる。送信は、ＲＲＣシグナリング、またはネットワークノード１２０とワイヤレスデバイス１００との間の任意の他の適切な通信を含み得る。
【０１６８】
ＰＲＢのサブセットの表示は、図１３〜図１６に関して上記で説明したフォーマットなど、様々なフォーマットを含み得る。たとえば、フォーマットは、ビットマップ、奇数／偶数値、密度およびコームオフセット、ワイヤレスデバイスに知られているフォーマットのグループの特定のフォーマットを識別するインデックスなどを含み得る。いくつかの実施形態では、表示は、ワイヤレスデバイス１１０がＣＳＩ−ＲＳを測定するために使用すべきサブフレームの数を含み得る。
【０１６９】
ステップ１７１６において、ネットワークノードは、ＰＲＢの表示されたサブセット上でＣＳＩ−ＲＳを送信し得る。たとえば、ネットワークノード１２０は、ネットワークノード１２０が以前にワイヤレスデバイス１１０に表示したＰＲＢ内でＣＳＩ−ＲＳを送信することができる。
【０１７０】
ステップ１７１８において、ネットワークノードは、送信されたＣＳＩ−ＲＳポートのうちの１つまたは複数に基づいて測定されたチャネル状態情報をワイヤレスデバイスから受信することができる。たとえば、ワイヤレスデバイス１１０は、送信されたＣＳＩ−ＲＳのうちの１つまたは複数のＣＳＩ−ＲＳの測定に基づいてＣＳＩを決定し、ＣＳＩをネットワークノード１２０送り返すことができる。
【０１７１】
方法１７００に修正、追加、または省略を行うことができる。加えて、図１７の方法１７００の１つまたは複数のステップは、並列で、または任意の適切な順序で実行され得る。方法１７００のステップは、必要に応じて経時的に繰り返されてよい。
【０１７２】
図１８は、いくつかの実施形態による、ワイヤレスデバイスにおける、ＣＳＩ−ＲＳを受信する例示的な方法を示す流れ図である。特定の実施形態では、図１８の１つまたは複数のステップは、図１２に関して説明したワイヤレスネットワーク１００のワイヤレスデバイス１１０によって実行され得る。
【０１７３】
この方法は、ワイヤレスデバイスが、ワイヤレスデバイスがＣＳＩ−ＲＳを測定するために使用すべきＰＲＢのサブセットの表示を受信するステップ１８１２で開始する。たとえば、ワイヤレスデバイス１１０は、ワイヤレスデバイス１１０がＣＳＩ−ＲＳを測定するために使用すべきＰＲＢのサブセットの表示をネットワークノード１２０から受信することができる。この表示は、図１３〜図１６に関して上記で説明した表示のうちのいずれか（たとえば、図１７のステップ１７１４において送信された表示）を含み得る。
【０１７４】
ステップ１８１４において、ワイヤレスデバイスは、ＰＲＢの表示されたサブセット上でＣＳＩ−ＲＳを受信する。たとえば、ワイヤレスデバイス１１０は、表示されたＰＲＢ１６上でネットワークノード１２０からＣＳＩ−ＲＳを受信することができる。
【０１７５】
ステップ１８１６において、ワイヤレスデバイスは、受信されたＣＳＩ−ＲＳに基づいてＣＳＩを決定することができる。たとえば、ワイヤレスデバイス１１０は、ネットワークノード１２０とワイヤレスデバイス１１０との間の効果的なチャネルを推定するために、表示されたＰＲＢ１６上でＣＳＩ−ＲＳを測定するために受信された表示を使用することができる。いくつかの実施形態では、ワイヤレスデバイス１１０は、複数のサブフレームを介してＣＳＩ−ＲＳを測定することができる。
【０１７６】
ステップ１８１８において、ワイヤレスデバイスは、ＣＳＩをネットワークノードに送信することができる。たとえば、ワイヤレスデバイス１１０は、ＣＳＩをネットワークノード１２０に送信することができる。
【０１７７】
方法１８００に修正、追加、または省略を行うことができる。加えて、図１８の方法１８００の１つまたは複数のステップは、並列で、または任意の適切な順序で実行され得る。方法１８００のステップは、必要に応じて繰り返されてよい。
【０１７８】
図１９Ａは、ワイヤレスデバイスのある例示的な実施形態を示すブロック図である。ワイヤレスデバイスは、図１２に示されたワイヤレスデバイス１１０のある例である。特定の実施形態では、ワイヤレスデバイスは、ワイヤレスデバイスがＣＳＩ−ＲＳを測定するために使用すべきＰＲＢのサブセットの表示を受信し、ＰＲＢの表示されたサブセット上でＣＳＩ−ＲＳを受信することが可能であり得る。特定の実施形態では、ワイヤレスデバイスは、効果的なチャネルを推定するために受信されたＣＳＩ−ＲＳポートを測定し、ＣＳＩを決定し、ＣＳＩをネットワークノードに送信することが可能であり得る。
【０１７９】
ワイヤレスデバイスの特定の例は、モバイルフォン、スマートフォン、ＰＤＡ（携帯情報端末）、ポータブルコンピュータ（たとえば、ラップトップ、タブレット）、センサー、モデム、マシンタイプ（ＭＴＣ）デバイス/マシンツーマシン（Ｍ２Ｍ）デバイス、ラップトップ組込み機器（ＬＥＥ）、ラップトップ搭載機器（ＬＭＥ）、ＵＳＢドングル、デバイスツーデバイス対応デバイス、ビークルツービークルデバイス、またはワイヤレス通信を提供し得る任意の他のデバイスを含む。ワイヤレスデバイスは、処理回路１９００を含む。処理回路１９００は、トランシーバ１９１０、プロセッサ１９２０、メモリ１９３０、および電源１９４０を含む。いくつかの実施形態では、トランシーバ１９１０は、（たとえば、アンテナを介した）ワイヤレスネットワークノード１２０へのワイヤレス信号の送信、ワイヤレスネットワークノード１２０からのワイヤレス信号の受信を円滑にし、プロセッサ１９２０は、ワイヤレスデバイスによって提供される、本明細書で説明する機能のうちのいくつかまたはすべてを提供するための命令を実行し、メモリ１９３０は、プロセッサ１９２０によって実行される命令を記憶する。電源１９４０は、トランシーバ１９１０、プロセッサ１９２０、および／またはメモリ１９３０など、ワイヤレスデバイス１１０の構成要素のうちの１つまたは複数に電力を供給する。
【０１８０】
プロセッサ１９２０は、ワイヤレスデバイスの説明する機能のうちのいくつかまたはすべてを実行するために、命令を実行し、データを操作するための、１つまたは複数の集積回路またはモジュール内で実装されるハードウェアおよびソフトウェアの任意の適切な組合せを含む。いくつかの実施形態では、プロセッサ１９２０は、たとえば、１つまたは複数のコンピュータ、１つまたは複数のプログラマブル論理デバイス、１つまたは複数の中央処理装置（ＣＰＵ）、１つまたは複数のマイクロプロセッサ、１つまたは複数のアプリケーション、および／もしくは他の論理、ならびに／または前述の任意の適切な組合せを含み得る。プロセッサ１９２０は、ワイヤレスデバイス１１０の説明する機能のうちのいくつかまたはすべてを実行するように設定されたアナログおよび/またはデジタル回路を含み得る。たとえば、プロセッサ１９２０は、レジスタ、キャパシタ、インダクタ、トランジスタ、ダイオード、および／または任意の他の適切な回路構成要素を含み得る。
【０１８１】
メモリ１９３０は、一般に、コンピュータ実行可能コードおよびデータを記憶するように動作可能である。メモリ１９３０の例は、情報を記憶する、コンピュータメモリ（たとえば、ランダムアクセスメモリ（ＲＡＭ）または読み取り専用メモリ（ＲＯＭ））、大容量記憶媒体（たとえば、ハードディスク）、リムーバブル記憶媒体（たとえば、コンパクトディスク（ＣＤ）、またはデジタルビデオディスク（ＤＶＤ））、および／または任意の他の揮発性または不揮発性、非一時的コンピュータ可読および／またはコンピュータ実行可能メモリデバイスを含む。
【０１８２】
電源１９４０は、一般に、ワイヤレスデバイス１１０の構成要素に電力を供給するように動作可能である。電源１９４０は、リチウムイオン、リチウム空気、リチウムポリマー、ニッケルカドミウム、ニッケル水素、またはワイヤレスデバイスに電力を供給するための任意の他の適切なタイプの電池など、任意の適切なタイプの電池を含み得る。
【０１８３】
特定の実施形態では、トランシーバ１９１０と通信中のプロセッサ１９２０は、ワイヤレスデバイスがＣＳＩ−ＲＳを測定するために使用すべきＰＲＢのサブセットの表示を受信し、ＰＲＢの表示されたサブセット上でＣＳＩ−ＲＳを受信する。特定の実施形態では、トランシーバ１９１０と通信中のプロセッサ１９２０は、効果的なチャネルを推定するために受信されたＣＳＩ−ＲＳを測定し、ＣＳＩをネットワークノードに送信することができる。
【０１８４】
ワイヤレスデバイスの一実施形態は、（上記で説明した解決策をサポートするために必要な任意の機能を含めて）上記で説明した機能および／または任意の追加の機能のうちのいずれかを含む、ワイヤレスデバイスの機能のいくつかの態様を提供する責任を負う（図１９Ａに示したものを超えた）追加の構成要素を含み得る。
【０１８５】
図１９Ｂは、ワイヤレスデバイス１１０の例示的な構成要素を示すブロック図である。構成要素は、受信モジュール１９５０、測定モジュール１９５２、および送信モジュール１９５４を含み得る。
【０１８６】
受信モジュール１９５０は、ワイヤレスデバイス１１０の受信機能を実行することができる。たとえば、受信モジュール１９５０は、図１２〜図１８に関して説明した例のうちのいずれかに従って、ワイヤレスデバイスがＣＳＩ−ＲＳを測定するために使用すべきＰＲＢのサブセットの表示を受信し、ＰＲＢの表示されたサブセット上でＣＳＩ−ＲＳを受信することができる。いくつかの実施形態では、受信モジュール１９５０は、プロセッサ１９２０を含み得るか、またはプロセッサ１９２０内に含まれ得る。特定の実施形態では、受信モジュール１９５０は、測定モジュール１９５２および送信モジュール１９５４と通信することができる。
【０１８７】
測定モジュール１９５２は、ワイヤレスデバイス１１０の測定機能を実行することができる。たとえば、測定モジュール１９５２は、受信されたＣＳＩ−ＲＳを使用してワイヤレスチャネルを推定することができる。測定モジュール１９５２は、推定に基づいてＣＳＩを決定することができる。いくつかの実施形態では、測定モジュール１９５２は、プロセッサ１９２０を含み得るか、またはプロセッサ１９２０内に含まれ得る。特定の実施形態では、測定モジュール１９５２は、受信モジュール１９５０および送信モジュール１９５４と通信することができる。
【０１８８】
送信モジュール１９５４は、ワイヤレスデバイス１１０の送信機能を実行することができる。たとえば、送信モジュール１９５４は、ＣＳＩをネットワークノード１２０に送信することができる。いくつかの実施形態では、送信モジュール１９５４は、プロセッサ１９２０を含み得るか、またはプロセッサ１９２０内に含まれ得る。特定の実施形態では、送信モジュール１９５４は、受信モジュール１９５０および測定モジュール１９５２と通信することができる。
【０１８９】
図２０Ａは、ネットワークノードのある例示的な実施形態を示すブロック図である。ネットワークノードは、図１２に示したネットワークノード１２０のある例である。特定の実施形態では、ネットワークノードは、ワイヤレスデバイスがＣＳＩ−ＲＳを測定するために使用すべき物理リソースブロック（ＰＲＢ）のサブセットの表示を取得し、ワイヤレスデバイスがＣＳＩ−ＲＳを測定するために使用すべきＰＲＢのサブセットの表示をワイヤレスデバイスに送信し、ＰＲＢの表示されたサブセット上でＣＳＩ−ＲＳを送信することが可能である。
【０１９０】
ネットワークノード１２０は、ｅＮｏｄｅＢ、ｎｏｄｅＢ、基地局、ワイヤレスアクセスポイント（たとえば、Ｗｉ−Ｆｉアクセスポイント）、低電力ノード、トランシーバ基地局（ＢＴＳ）、送信点または送信ノード、リモートＲＦユニット（ＲＲＵ）、リモート無線ヘッド（ＲＲＨ）、または他の無線アクセスノードであってよい。ネットワークノードは、処理回路２０００を含む。処理回路２０００は、少なくとも１つのトランシーバ２０１０、少なくとも１つのプロセッサ２０２０、少なくとも１つのメモリ２０３０、および少なくとも１つのネットワークインターフェース２０４０を含む。トランシーバ２０１０は、（たとえば、アンテナを介して）ワイヤレスデバイス１１０などのワイヤレスデバイスへのワイヤレス信号の送信およびワイヤレスデバイスからのワイヤレス信号の受信を円滑にし、プロセッサ２０２０は、ネットワークノード１２０によって提供されるとして上記で説明した機能のうちのいくつかまたはすべてを提供するために命令を実行し、メモリ２０３０は、プロセッサ２０２０によって実行される命令を記憶し、ネットワークインターフェース２０４０は、ゲートウェイ、スイッチ、ルータ、インターネット、公衆電話交換網（ＰＳＴＮ）、コントローラ、および／または他のネットワークノード１２０など、バックエンドネットワーク構成要素に信号を通信する。プロセッサ２０２０およびメモリ２０３０は、上記の図１９Ａのプロセッサ１９２０およびメモリ１９３０に関して説明したのと同じタイプのものであってよい。
【０１９１】
いくつかの実施形態では、ネットワークインターフェース２０４０は、プロセッサ２０２０に通信可能に結合され、ネットワークノード１２０に対する入力を受信するように、ネットワークノード１２０から出力を送るように、入力もしくは出力または両方の適切な処理を実行するように、他のデバイスに通信するように、または前述の任意の組合せを行うように動作可能な任意の適切なデバイスを指す。ネットワークインターフェース２０４０は、ネットワークを通して通信するための、プロトコル会話およびデータ処理能力を含めて、適切なハードウェア（たとえば、ポート、モデム、ネットワークインターフェースカードなど）およびソフトウェアを含む。
【０１９２】
特定の実施形態では、トランシーバ２０１０と通信中のプロセッサ２０２０は、ワイヤレスデバイスがＣＳＩ−ＲＳを測定するために使用すべきＰＲＢのサブセットの表示を取得するように、ワイヤレスデバイスがＣＳＩ−ＲＳを測定するために使用すべきＰＲＢのサブセットの表示をワイヤレスデバイスに送信するように、およびＰＲＢの表示されたサブセット上でＣＳＩ−ＲＳを送信するように動作可能である。
【０１９３】
ネットワークノード１２０の他の実施形態は、（上記で説明した解決策をサポートするために必要な任意の機能を含めて）上記で説明した機能および／または任意の追加の機能を含めて、ネットワークノードの機能のいくつかの態様を提供する責任を負う追加の構成要素（図２０Ａに示したものを超えた）を含む。様々な異なるタイプのネットワークノードは、同じ物理ハードウェアを有するが、異なる無線アクセス技術をサポートするように（たとえば、プログラミングを介して）設定された構成要素を含み得るか、または異なる物理構成要素を部分的にまたは全体的に表し得る。
【０１９４】
図２０Ｂは、ネットワークノード１２０の例示的な構成要素を示すブロック図である。構成要素は、取得モジュール２０５０、送信モジュール２０５２、および受信モジュール２０５４を含み得る。
【０１９５】
取得モジュール２０５０は、ネットワークノード１２０の取得機能を実行することができる。たとえば、取得モジュール２０５０は、図１２〜図１８に関して説明した例のうちのいずれかに従って、ワイヤレスデバイスがＣＳＩ−ＲＳを測定するために使用すべきＰＲＢのサブセットの表示を取得することができる。いくつかの実施形態では、取得モジュール２０５０は、プロセッサ２０２０を含み得るか、またはプロセッサ２０２０内に含まれ得る。特定の実施形態では、取得モジュール２０５０は、送信モジュール２０５２および受信モジュール２０５４と通信することができる。
【０１９６】
送信モジュール２０５２は、ネットワークノード１２０の送信機能を実行することができる。たとえば、送信モジュール２０５２は、図１２〜図１８に関して説明した例のうちのいずれかに従って、ワイヤレスデバイスがＣＳＩ−ＲＳを測定するために使用すべきＰＲＢのサブセットの表示を送信し、１つまたは複数のＰＲＢ上でＣＳＩ−ＲＳを送信することができる。いくつかの実施形態では、送信モジュール２０５２は、プロセッサ２０２０を含み得るか、またはプロセッサ２０２０内に含まれ得る。特定の実施形態では、送信モジュール２０５２は、取得モジュール２０５０および受信モジュール２０５４と通信することができる。
【０１９７】
受信モジュール２０５４は、ネットワークノード１２０の受信機能を実行することができる。たとえば、受信モジュール２０５４は、ワイヤレスデバイス１１０からＣＳＩを受信することができる。いくつかの実施形態では、受信モジュール２０５４は、プロセッサ１９２０を含み得るか、またはプロセッサ１９２０内に含まれ得る。特定の実施形態では、受信モジュール２０５４は、取得モジュール２０５０および送信モジュール２０５２と通信することができる。
【０１９８】
本発明の範囲から逸脱せずに、本明細書で開示するシステムおよび装置に修正、追加、または省略を行うことができる。システムおよび装置の構成要素は、統合されてもよく、または別個であってもよい。その上、システムおよび装置の動作は、より多い構成要素、より少ない構成要素、または他の構成要素によって実行され得る。加えて、システムおよび装置の動作は、ソフトウェア、ハードウェア、および／または他の論理を備える任意の適切な論理を使用して実行され得る。本書で使用される「各」は、セットの各メンバーまたはセットのサブセットの各メンバーを指す。
【０１９９】
本発明の範囲から逸脱せずに、本明細書で開示する方法に修正、追加、または省略を行うことができる。これらの方法は、より多くのステップ、より少ないステップ、または他のステップを含み得る。加えて、ステップは、任意の適切な順序で実行され得る。
【０２００】
本開示はいくつかの実施形態に関して説明されてきたが、これらの実施形態の改変および置換は当業者に明らかになろう。したがって、これらの実施形態の上記の説明は、本開示を制約しない。以下の特許請求の範囲によって定義されるような、本開示の範囲から逸脱せずに、他の変更、置換、および改変が可能である。
【０２０１】
特定の実施形態は、特定の通信規格のフレームワーク内で実装され得る。以下の例は、提案される解決策が３ＧＰＰ  ＴＳＧ  ＲＡＮ規格のフレームワーク内でどのように実装され得るかの非限定的な例を提供する。説明する変更は、提案される解決策のいくつかの態様が特定の規格内でどのように実装され得るかを示すことを単に意図する。しかしながら、提案される解決策は、３ＧＰＰ仕様と他の仕様または規格の両方で、他の適切な方法で実装されてもよい。
【０２０２】
たとえば、特定の規格は、クラスＡ  ｅＦＤ−ＭＩＭＯに対するＣＳＩ−ＲＳ設計に関する以下の合意を含み得る。｛２０、２４、２８、３２｝ポートに関して、クラスＡ  ＣＳＩ報告に関するＣＳＩ−ＲＳリソースは、Ｋ個のＣＳＩ−ＲＳ設定［すなわち、ＲＥパターン］のアグリゲーションを含み得る。第ｋ番目の設定のＲＥ数はＮｋ∈｛４、８｝である。同じＮｋ＝Ｎがすべてのｋに関して使用され得る。以下も除外されない：（ａ）ＰＲＢごとのポート単位のＣＳＩ−ＲＳ密度＝１、（ｂ）異なるＣＳＩ−ＲＳポートに対する異なるポート単位のＣＳＩ−ＲＳ密度。
【０２０３】
特定の例は、ＴＤＭを含む。ＵＥは、１個のサブフレーム内のポートの１個のセット、およびもう１個のサブフレーム内で測定され報告されるポートの残りのセットを測定して報告することができる。この方式の課題は、ｅＮＢが異なるサブフレーム上のＣＳＩ−ＲＳポートの異なるセットに関して測定されたＣＳＩ報告をどのように組み合わせるかである。さらに、ＣＳＩ−ＲＳポートの異なるセットに対応するＣＳＩ−ＲＳが異なるＣＳＩ−ＲＳサブフレーム上で測定／報告される場合、報告されるＣＳＩは、サブフレームにわたって周波数ドリフト／ドップラーによって悪影響を受ける可能性がある。２４個のポートを用いたシミュレーション結果は、ＴＤＭベースの方式が、ＳＮＲ範囲０〜１０ｄＢのＦＤＭ方式と比較して、１０〜２０％のリンクスループット損失を受ける可能性があることを表示している。
【０２０４】
ＴＤＭ方式のオーバヘッドに関して、ＴＤＭ方式は、１つのＣＳＩ−ＲＳ送信周期性にわたってＣＳＩ−ＲＳオーバヘッドを低減させない。これは、すべてのポートが図２１Ａおよび図２１Ｂにおいて単一のサブフレーム内で測定される、ＴＤＭ方式とＣＳＩ−ＲＳ方式との間の比較によって示される。
【０２０５】
図２１Ａでは、ＣＳＩポート１５〜３０がサブフレーム（ｋ＋１）内で測定され、ＣＳＩポート３１〜４６がサブフレーム（ｋ＋２）内で測定される、３２個のポートに対するＴＤＭ方式に基づくＣＳＩ−ＲＳ設計が示されている。２ＣＲＳポート、ＰＤＣＣＨに対する３個のＯＦＤＭシンボル、２個のＤＭＲＳポート、およびＣＳＩ−ＲＳ周期性Ｎｐ＝５ｍｓであるシステムを仮定すると、１つのＣＳＩ−ＲＳ期間にわたるＴＤＭ方式のＣＳＩ−ＲＳオーバヘッドは、およそ６％である。
【０２０６】
同じ仮定の下で、すべての３２個のポートがサブフレーム（ｋ＋１）内で測定される、図２１Ｂの方式は、６％の同ＣＳＩ−ＲＳオーバヘッドを達成する。この比較から、ＴＤＭ方式はＣＳＩ−ＲＳオーバヘッドを低減させず、異なるサブフレームにわたってオーバヘッドを単に分散することは明らかである。
【０２０７】
いくつかの実施形態では、ＴＤＭ方式は、ＣＳＩ−ＲＳオーバヘッドを低減させず、異なるサブフレームにわたってＣＳＩ−ＲＳオーバヘッドを単に分散するため、ＴＤＭ方式は選択範囲を狭める可能性がある。
【０２０８】
特定の例は、ＦＤＭを含む。ＵＥは、ＰＲＢの１個の固定セットに対するＣＳＩ−ＲＳポートの１個のセット、およびＰＲＢの異なる固定セットに対するアンテナポートの別のサブセット上のチャネルを測定するように設定され得る。３２ポートの例は、図１４に示されている。この例では、ＣＳＩ−ＲＳポート１５〜３０は、偶数ＰＲＢ内で送信され、ＣＳＩ−ＲＳポート３１〜４６は、奇数ＰＲＢ内で送信される。
【０２０９】
ＦＤＭ方式の性能を評価することは、２×１サブアレイの仮想化とともに３２ポート８×４二重偏波アレイを使用したシステムレベルシミュレーションを含み得る。０．５ＲＥ／ＲＢ／ポートのＣＳＩ−ＲＳ密度を用いたＦＤＭ方式の性能は、完全密度（すなわち、１ＲＥ／ＲＢ／ポート）を用いたＣＳＩ−ＲＳ設計の性能と比較され得る。３Ｄ−ＵＭｉシナリオおよび３Ｄ−ＵＭａシナリオに関する結果が、それぞれ、表５および表６で与えられている。これらの結果では、３２ポートＣＳＩ−ＲＳリソースは、４個の８ポートＣＳＩ−ＲＳ設定をＣＤＭ−４および３ｄＢ電力増大でアグリゲートすることによって達成される。
0006987788.tif 000045
0006987788.tif 000046
【０２１０】
これらの結果は、完全密度のＣＳＩ−ＲＳ方式に対してこのＦＤＭ方式が有する低オーバヘッドの利点により、ＦＤＭ方式が５％の非常に低いリソース利用において２％の小さな平均スループット利得を達成することを示す。しかしながら、より高いリソース利用において、ＦＤＭ方式は著しいスループット損失を受ける。５０％ＲＵにおいて、ＦＤＭ方式のセルエッジ性能は２５％であり（３Ｄ−ＵＭｉにおいて）、完全密度のＣＳＩ−ＲＳ方式よりも５３％（３Ｄ−ＵＭａにおいて）低い。この損失は、完全密度のＣＳＩ−ＲＳ方式と比較したとき、ＦＤＭ方式に関連する低減された処理利得に主に起因する。
【０２１１】
０．５ＲＥ／ＲＢ／ポートを備えたＦＤＭ方式は、非常に小さい負荷で小さな利得を達成するが、１ＲＥ／ＲＢ／ポートの密度を備えたＣＳＩ−ＲＳ設計と比較したとき、中程度の負荷かから高負荷において著しい損失を受ける。したがって、表５および表６の結果を仮定すれば、固定されたＣＳＩ−ＳＲ密度を備えたＦＤＭベースの設計は、高負荷におけるその不十分な性能により良好な解決策でない可能性がある。中程度の負荷から高負荷条件における良好な性能を確実にするために、ＣＳＩ−ＲＳ設計における十分な設定可能性は、１ＲＥ／ＲＢ／ポートよりも低いＣＳＩ−ＲＳ密度に加えて、１ＲＥ／ＲＢ／ポートのポート単位のＣＳＩ−ＲＳ密度をやはり有することを可能にされるべきである。
【０２１２】
固定ＣＳＩ−ＲＳ密度を備えたＦＤＭベースのＣＳＩ−ＲＳ設計は、クラスＡ  ｅＦＤ−ＭＩＭＯに対して考慮されない場合がある。ＣＳＩ−ＲＳ設計における十分な設定可能性は、１ＲＥ／ＲＢ／ポートよりも低いＣＳＩ−ＲＳ密度に加えて、１ＲＥ／ＲＢ／ポートのポート単位のＣＳＩ−ＲＳ密度をやはり有することを可能にされるべきである。
【０２１３】
特定の実施形態は、周波数領域内の測定制約を含む。ＣＳＩ−ＲＳ送信のためのオーバヘッドを低減させるための機構を備えた｛２０、２４、２８、３２｝ＣＳＩ−ＲＳポートの拡張を指定することは、ｅＦＤ−ＭＩＭＯ規格の目的の１つであるため、よりフレキシブルな手法は、ＣＳＩ−ＲＳ設計の密度が設定可能になることを可能にすることである。これは、ＵＥがＰＲＢの設定可能なセット上でチャネルを測定することが要求され得る、周波数領域内の測定制約（ＭＲ）によって達成され得る。ＣＳＩ−ＲＳは、ＵＥがチャネル測定を実行することが要求されるＰＲＢ内でのみ送信される。周波数領域内のＭＲは、半静的に設定され得、ＵＥにシグナリングされるＲＲＣであり得る。
【０２１４】
周波数領域内のＭＲは設定可能であるため、ＣＳＩ−ＲＳポートの密度は、展開シナリオに適するようにフレキシブルに選定され得る。たとえば、低負荷、低遅延拡散条件の場合、ＣＳＩ−ＲＳポートは、低減された密度で設定され得る。高負荷および／または高遅延拡散条件の場合、表５および表６の結果で実証された性能損失を回避するようにＣＳＩ−ＲＳポートに対してより高い密度が設定され得る。
【０２１５】
ポート単位のＣＳＩ−ＲＳ密度を低減させるためのいくつかの代替案は、周波数領域内のＭＲによって達成され得る。２、３の例は以下を含む。
【０２１６】
ＦＤＭ：周波数領域内のＭＲを用いて、異なるＣＳＩ−ＲＳ密度を備えたＦＤＭ方式が達成され得る。たとえば、図１４の３２ポート低減密度ＣＳＩ−ＲＳ例は、ＰＲＢ０、２、４、６、．．．上でＣＳＩ−ＲＳポート１５〜３０を測定し、ＰＲＢ１、３、５、７、．．．上でＣＳＩ−ＲＳポート３１〜４６を測定するようにＵＥを設定することによって達成され得る。そのような低減率が所与の展開シナリオに適切である場合、他の密度低減率（すなわち、３または４）も周波数領域内のＭＲを用いて設定され得る。
【０２１７】
部分的な重複：ＣＳＩ−ＲＳ設計を部分的に重複させることは、周波数領域内のＭＲによって達成され得る。図１５に与えられた３２ポート例を考慮すると、ＵＥは、ＰＲＢ１、３、５、７、．．．上でのみＣＳＩ−ＲＳポート２３〜３８を測定するように設定される。ＣＳＩ−ＲＳポート１５〜２２の場合、ＵＥは、すべてのＰＲＢ上でＣＳＩ−ＲＳを測定するように設定される。
【０２１８】
部分的な帯域幅測定：周波数領域内のＭＲは、非周期的ＣＳＩ−ＲＳのコンテキストで１つまたは複数のサブバンド上のみでＣＳＩ−ＲＳを測定するようにＵＥをプローブするために効果的に使用され得る。
【０２１９】
完全ＣＳＩ−ＲＳ密度：１個のＲＥ／ポート／ＰＲＢのポート単位のＣＳＩ−ＲＳ密度は、すべてのＰＲＢに関するＣＳＩ−ＲＳを測定するようにＵＥを設定することによって周波数領域内のＭＲによって達成され得る。
【０２２０】
周波数領域内のＭＲは、異なる数のポートを備えた異なるＣＳＩ−ＲＳリソースを用いた事例および異なるＣＤＭ設計を必要とする事例に適用され得る。
【０２２１】
これらの利点を仮定して、特定の実施形態は、ＦＤＭ、部分的な重複、部分的な帯域幅測定、および完全ＣＳＩ−ＲＳ密度を含めて、ポート単位のＣＳＩ−ＲＳ密度を低減させるための代替案の多くを達成するために使用される周波数領域内の測定制約を含む。クラスＡ  ｅＦＤ−ＭＩＭＯの場合、周波数領域内の測定制約は、展開シナリオおよび負荷条件に従って、ＣＳＩ−ＲＳの密度を設定するための良好なフレキシビリティを提供する。
【０２２２】
いくつかの実施形態は、ＣＳＩ−ＲＳ  ＳＩＮＲ改善を含む。ＣＤＭ−４および３ｄＢ電力増大（９ｄＢ利得）を備えた３２ポートＣＳＩ−ＲＳ設計の性能は、１５ｄＢ利得を備えた３２ポートＣＳＩ−ＲＳ設計の上限性能と比較され得る。両方の事例は、２×１サブアレイ仮想化とともに、１ＲＥ／ＲＢ／ポートのＣＳＩ−ＲＳ密度および３２ポート８×４二重偏波アレイを仮定する。詳細なシミュレーションパラメータが上記で与えられている。
【０２２３】
５０％リソース利用における３Ｄ−ＵＭｉシナリオおよび３Ｄ−ＵＭａシナリオに関する結果が、表７に与えられている。これらの結果は、９ｄＢ利得の事例比較したとき、１５ｄＢ利得を使用するときに２９〜４１％のセルエッジスループット上限利得を示す。対応する平均スループット利得は、１１〜１２％の範囲内である。これは、ＣＳＩ−ＲＳ  ＳＩＮＲがさらに改善され得る場合、さらなる利得が可能であることを示唆する。
0006987788.tif 000047
【０２２４】
前述の説明で使用された略語
３ＧＰＰ  第３世代パートナーシッププロジェクト
ＡＰ  アクセスポイント
ＢＳＣ  基地局コントローラ
ＢＴＳ  トランシーバ基地局
ＣＤＭ  符号分割多重化
ＣＰＥ  顧客構内機器
ＣＲＳ  セル固有参照信号
ＣＱＩ  チャネル品質インジケータ
ＣＳＩ  チャネル状態情報
ＣＳＩ−ＲＳ  チャネル状態情報参照信号
Ｄ２Ｄ  デバイスツーデバイス
ＤＡＳ  分散アンテナシステム
ＤＣＩ  ダウンリンク制御情報
ＤＦＴ  離散フーリエ変換
ＤＬ  ダウンリンク
ＤＭＲＳ  復調参照信号
ｅＮＢ  ｅＮｏｄｅＢ
ＥＰＤＣＣＨ  拡張物理ダウンリンク制御チャネル
ＦＤＤ  周波数分割複信
ＬＴＥ  ロングタームエボリューション
ＬＡＮ  ローカルエリアネットワーク
ＬＥＥ  ラップトップ組込み機器
ＬＭＥ  ラップトップ搭載機器
ＭＡＣ  媒体アクセス制御
Ｍ２Ｍ  マシンツーマシン
ＭＩＭＯ  多入力多出力
ＭＲ  測定制約
ＭＴＣ  マシンタイプ通信
ＮＲ  ニューラジオ
ＮＺＰ  非ゼロ電力
ＯＣＣ  直交カバーコード
ＯＦＤＭ  直交周波数分割多重
ＰＤＣＣＨ  物理ダウンリンク制御チャネル
ＰＤＳＣＨ  物理ダウンリンク共有チャネル
ＰＭＩ  プリコードされた行列インジケータ
ＰＲＢ  物理リソースブロック
ＰＳＴＮ  公衆電話交換網
ＰＵＳＣＨ  物理アップリンク共有チャネル
ＰＵＣＣＨ  物理アップリンク制御チャネル
ＲＡＮ  無線アクセスネットワーク
ＲＡＴ  無線アクセス技術
ＲＢ  リソースブロック
ＲＢＳ  無線基地局
ＲＥ  リソースエレメント
ＲＩ  ランクインジケータ
ＲＮＣ  無線ネットワークコントローラ
ＲＲＣ  無線リソース制御
ＲＲＨ  リモート無線ヘッド
ＲＲＵ  リモートラジオユニット
ＴＤＤ  時分割複信
ＴＲＦＥ  時間周波数リソースエレメント
ＴＭ  送信モード
ＵＥ  ユーザ機器
ＵＬ  アップリンク
ＵＴＲＡＮ  ユニバーサル地上無線アクセスネットワーク
ＷＡＮ  ワイヤレスアクセスネットワーク
ＺＰ  ゼロ電力
【図１】
0006987788.tif 000058
【図２】
0006987788.tif 000059
【図３】
0006987788.tif 000060
【図４】
0006987788.tif 000061
【図５】
0006987788.tif 000062
【図６Ａ】
0006987788.tif 000063
【図６Ｂ】
0006987788.tif 000064
【図７】
0006987788.tif 000065
【図８】
0006987788.tif 000066
【図９】
0006987788.tif 000067
【図１０】
0006987788.tif 000068
【図１１】
0006987788.tif 000069
【図１２】
0006987788.tif 000070
【図１３】
0006987788.tif 000071
【図１４】
0006987788.tif 000072
【図１５】
0006987788.tif 000073
【図１６】
0006987788.tif 000074
【図１７】
0006987788.tif 000075
【図１８】
0006987788.tif 000076
【図１９Ａ】
0006987788.tif 000077
【図１９Ｂ】
0006987788.tif 000078
【図２０Ａ】
0006987788.tif 000079
【図２０Ｂ】
0006987788.tif 000080
【図２１Ａ】
0006987788.tif 000081
【図２１Ｂ】
0006987788.tif 000082